(57)【要約】  ワイヤレス通信システム（１０）におけるワイヤレス通信デバイス（１４）（例えば、ユーザ機器）は、ランダムアクセスプリアンブル信号（１６）を送信するように構成される。ワイヤレス通信デバイス（１４）はとりわけ、シンボルグループ（１８）がそれぞれ異なる時間リソースの間シングルトーン上にある複数のシンボルグループ（１８）を含むランダムアクセスプリアンブル信号（１６）を、１つまたは複数のシンボルグループ（１８）でランダムアクセスプリアンブル信号（１６）を一定周波数距離でホッピングし、かつ、１つまたは複数の他のシンボルグループ（１８）でランダムアクセスプリアンブル信号（１６）を疑似ランダム周波数距離でホッピングする周波数ホッピングパターンに従って、生成するように構成される。それぞれのシンボルグループ（１８）は１つまたは複数のシンボルを含む。ワイヤレス通信デバイス（１４）はまた、ランダムアクセスプリアンブル信号（１６）を送信するように構成される。【選択図】図１
2019508949.tif 000002
【特許請求の範囲】
【請求項１】
ワイヤレス通信システム（１０）において使用するために構成されたユーザ機器（１４）によって実行される方法であって、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成すること（１１０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成することと、
前記ランダムアクセスプリアンブル信号（１６）を送信すること（１２０）と、を含む、方法。
【請求項２】
前記複数のシンボルグループ（１８）のうちの最初の１つを送信するためのシングルトーンをランダムに選択することと、前記周波数ホッピングパターンに従って前記複数のシンボルグループ（１８）の後続のものをそれぞれ送信するためのシングルトーンを選択することと、をさらに含む、請求項１に記載の方法。
【請求項３】
ワイヤレス通信システム（１０）において使用するために構成された無線ネットワークノード（１２）によって実行される方法であって、
ユーザ機器（１４）から信号を受信すること（２１０）と、
受信された前記信号について、それぞれのシンボルグループ（１８）が異なる時間リソースの間シングルトーン上にある複数のシンボルグループ（１８）を含むランダムアクセスプリアンブル信号（１６）を、周波数ホッピングパターンに従って検出するための試行を処理すること（２２０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を含む、方法。
【請求項４】
１つまたは複数の他のユーザ機器から１つまたは複数の他の信号を受信することと、
前記１つまたは複数の他の信号について、前記ランダムアクセスプリアンブル信号（１６）と、で多重化された１つまたは複数の他のランダムアクセスプリアンブル信号を、異なる周波数ホッピングパターンに従って検出するための試行を処理することと、をさらに含む、請求項３に記載の方法。
【請求項５】
それぞれのシンボルグループ（１８）が１つまたは複数のシンボルを含む複数のシンボルグループ（１８）を含むランダムアクセスプリアンブル信号（１６）を送信するようにユーザ機器（１４）を構成するワイヤレス通信システム（１０）においてネットワークノード（１１００Ａ、１１００Ｂ）によって実行によって実行される方法であって、
異なる時間リソースの間シングルトーン上にある前記シンボルグループ（１８）のそれぞれを前記ユーザ機器（１４）が従って生成する周波数ホッピングパターンのための１つまたは複数のパラメータを指示する構成情報を生成すること（３１０）であって、前記周波数ホッピングパターンは、１つまたは複数のシンボルグループ（１８）で前記ランダムアクセスプリアンブル信号（１６）を一定周波数距離でホッピングし、かつ１つまたは複数の他のシンボルグループ（１８）で前記ランダムアクセスプリアンブル信号（１６）を疑似ランダム周波数距離でホッピングする、生成することと、
前記構成情報を前記ユーザ機器（１４）に送信すること（３２０）と、を含む、方法。
【請求項６】
異なるタイプのユーザ機器に対するランダムアクセスプリアンブル信号が送信されることになる複数の異なる周波数帯域を構成することであって、前記異なる周波数帯域は異なる数のトーンを有する、構成することをさらに含む、請求項５に記載の方法。
【請求項７】
前記構成情報は、どの帯域においてユーザ機器（１４）がランダムアクセスプリアンブル信号（１６）を送信するべきであるかを指示する少なくとも１つのパラメータ、および／または前記帯域におけるトーンの数を指示する、請求項５または６に記載の方法。
【請求項８】
前記疑似ランダム周波数距離は、
2019508949.tif 000047
の関数であり、式中、
2019508949.tif 000048
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000049
はトーンの数であり、この範囲内で、前記ランダムアクセスプリアンブル信号（１６）に対するホッピングは規定され、ｃ（ｋ）は疑似ランダムシーケンスである、請求項１から７のいずれか一項に記載の方法。
【請求項９】
前記疑似ランダム周波数距離は、
2019508949.tif 000050
の関数であり、式中、
2019508949.tif 000051
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項１から７のいずれか一項に記載の方法。
【請求項１０】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000052
、
2019508949.tif 000053
であり、
2019508949.tif 000054
は物理レイヤセル識別子である、請求項８または９に記載の方法。
【請求項１１】
前記疑似ランダム周波数距離はセル識別子の関数である、請求項１から１０のいずれか一項に記載の方法。
【請求項１２】
前記一定周波数距離はシングルトーンの周波数距離を含む、請求項１から１１のいずれか一項に記載の方法。
【請求項１３】
前記ランダムアクセスプリアンブル信号（１６）におけるそれぞれのシンボルグループ（１８）はサイクリックプレフィックスおよび２つ以上のシンボルを含む、請求項１から１２のいずれか一項に記載の方法。
【請求項１４】
前記ランダムアクセスプリアンブル信号（１６）におけるそれぞれのシンボルグループ（１８）は、サイクリックプレフィックスおよび５つの同一のシンボルを含む、請求項１から１３のいずれか一項に記載の方法。
【請求項１５】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項１から１４のいずれか一項に記載の方法。
【請求項１６】
前記第２のセットにおけるシンボルグループ（１８）でホッピングした疑似ランダム周波数距離は、シングルトーンが及ぶ周波数距離の
2019508949.tif 000055
倍数を含む候補周波数距離から疑似ランダムに選択され、ここで、
2019508949.tif 000056
はトーンの数であり、この範囲内で、前記ランダムアクセスプリアンブル信号（１６）に対するホッピングは規定される、請求項１５に記載の方法。
【請求項１７】
前記周波数ホッピングパターンは、前記シンボルグループ（１８）の周波数ロケーションに依存する方向にシンボルグループ（１８）で前記ランダムアクセスプリアンブル信号（１６）を前記一定周波数距離でホッピングする、請求項１から１６のいずれか一項に記載の方法。
【請求項１８】
前記周波数ホッピングパターンは、前記ランダムアクセスプリアンブル信号（１６）をランダムアクセスチャネルの帯域幅にわたってホッピングすることで、前記複数のシンボルグループ（１８）が前記ランダムアクセスチャネルの前記帯域幅に及ぶようにする、請求項１から１７のいずれか一項に記載の方法。
【請求項１９】
前記異なる時間リソースのそれぞれは、シングルキャリア周波数分割多重アクセス（ＳＣ−ＦＤＭＡ）シンボルグループ間隔を含む、請求項１から１８のいずれか一項に記載の方法。
【請求項２０】
前記シンボルグループ（１８）が生成される前記シングルトーンのそれぞれは、シングルキャリア周波数分割多重アクセス（ＳＣ−ＦＤＭＡ）サブキャリアである、請求項１から１９のいずれか一項に記載の方法。
【請求項２１】
前記ユーザ機器（１４）は狭帯域のモノのインターネット（ＮＢ−ＩｏＴ）デバイスである、請求項１から２０のいずれか一項に記載の方法。
【請求項２２】
前記ランダムアクセスプリアンブル信号（１６）は、狭帯域物理ランダムアクセスチャネル（ＮＢ−ＰＲＡＣＨ）上で送信される、請求項１から２１のいずれか一項に記載の方法。
【請求項２３】
ランダムアクセスプリアンブル信号（１６）を送信するためにワイヤレス通信システム（１０）において使用するためのユーザ機器（１４）であって、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成することと、
前記ランダムアクセスプリアンブル信号（１６）を送信することと、を行うように構成される、ユーザ機器（１４）。
【請求項２４】
請求項２、および８から２２のいずれか一項に記載の方法を行うように構成される、請求項２３に記載のユーザ機器（１４）。
【請求項２５】
ランダムアクセスプリアンブル信号（１６）を受信するためにワイヤレス通信システム（１０）において使用するための無線ネットワークノード（１２）であって、
ユーザ機器（１４）から信号を受信することと、
複数のシンボルグループ（１８）を含み、前記シンボルグループ（１８）のそれぞれが異なる時間リソースの間シングルトーン上にあるランダムアクセスプリアンブル信号（１６）を検出しようと試みて、周波数ホッピングパターンに従って受信された前記信号を処理することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を行うように構成される、無線ネットワークノード。
【請求項２６】
請求項４、および８から２２のいずれか一項に記載の方法を行うように構成される、請求項２５に記載の無線ネットワークノード。
【請求項２７】
それぞれのシンボルグループ（１８）が１つまたは複数のシンボルを含む複数のシンボルグループ（１８）を含むランダムアクセスプリアンブル信号（１６）を送信するようにユーザ機器（１４）を構成するワイヤレス通信システム（１０）において使用するためのネットワークノード（１１００Ａ、１１００Ｂ）であって、
異なる時間リソースの間シングルトーン上にある前記シンボルグループ（１８）のそれぞれを前記ユーザ機器（１４）が従って生成する周波数ホッピングパターンのための１つまたは複数のパラメータを指示する構成情報を生成することであって、前記周波数ホッピングパターンは、１つまたは複数のシンボルグループ（１８）で前記ランダムアクセスプリアンブル信号（１６）を一定周波数距離でホッピングし、かつ１つまたは複数の他のシンボルグループ（１８）で前記ランダムアクセスプリアンブル信号（１６）を疑似ランダム周波数距離でホッピングする、生成することと、
前記構成情報を前記ユーザ機器（１４）に送信することと、を行うように構成される、ネットワークノード。
【請求項２８】
請求項６から２２のいずれか一項に記載の方法を行うように構成される、請求項２７に記載のネットワークノード。
【請求項２９】
ノードの少なくとも１つのプロセッサによって実行される時、前記ノードに請求項１から２２のいずれか一項に記載の方法を行わせる命令を含む、コンピュータプログラム。
【請求項３０】
請求項２９に記載のコンピュータプログラムを含有するキャリアであって、電子信号、光信号、無線信号、またはコンピュータ可読記憶媒体のうちの１つである、キャリア。
【請求項３１】
ランダムアクセスプリアンブル信号（１６）を送信するためにワイヤレス通信システム（１０）において使用するためのユーザ機器（１４）であって、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成するための生成モジュール（９５０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成モジュールと、
前記ランダムアクセスプリアンブル信号（１６）を送信するための送信モジュール（９６０）と、を含む、ユーザ機器（１４）。
【請求項３２】
請求項２、および８から２２のいずれか一項に記載の方法を行うように構成される、請求項３１に記載のユーザ機器（１４）。
【請求項３３】
ランダムアクセスプリアンブル信号（１６）を受信するためにワイヤレス通信システム（１０）において使用するための無線ネットワークノード（１２）であって、
ユーザ機器（１４）から信号を受信するための受信モジュール（１０５０）と、
複数のシンボルグループ（１８）を含み、前記シンボルグループ（１８）のそれぞれが異なる時間リソースの間シングルトーン上にあるランダムアクセスプリアンブル信号（１６）を検出しようと試みて、周波数ホッピングパターンに従って受信された前記信号を処理するための処理モジュール（１０６０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理モジュールと、を含む、無線ネットワークノード。
【請求項３４】
請求項４、および８から２２のいずれか一項に記載の方法を行うように構成される、請求項３３に記載の無線ネットワークノード。
【請求項３５】
それぞれのシンボルグループ（１８）が１つまたは複数のシンボルを含む複数のシンボルグループ（１８）を含むランダムアクセスプリアンブル信号（１６）を送信するようにユーザ機器（１４）を構成するワイヤレス通信システム（１０）において使用するためのネットワークノード（１１００Ｂ）であって、
異なる時間リソースの間シングルトーン上にある前記シンボルグループ（１８）のそれぞれを前記ユーザ機器（１４）が従って生成する周波数ホッピングパターンのための１つまたは複数のパラメータを指示する構成情報を生成するための生成モジュール（１１５０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングする、生成モジュールと、
前記構成情報を前記ユーザ機器（１４）に送信するための送信モジュール（１１６０）と、を含む、ネットワークノード。
【請求項３６】
請求項６から２２のいずれか一項に記載の方法を行うように構成される、請求項３５に記載のネットワークノード。
【請求項３７】
ランダムアクセスプリアンブル信号（１６）を送信するためにワイヤレス通信システム（１０）において使用するためのユーザ機器（１４）であって、
処理回路構成（９２０）および無線回路構成（９１０）を含み、これらによって、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成することと、
前記ランダムアクセスプリアンブル信号（１６）を送信することと、を行うように構成される、ユーザ機器（１４）。
【請求項３８】
前記複数のシンボルグループ（１８）のうちの最初の１つを送信するためのシングルトーンをランダムに選択するように、および、前記周波数ホッピングパターンに従って前記複数のシンボルグループ（１８）の後続のものをそれぞれ送信するための前記シングルトーンを選択するように構成される、請求項３７に記載のユーザ機器（１４）。
【請求項３９】
前記疑似ランダム周波数距離は、
2019508949.tif 000057
の関数であり、式中、
2019508949.tif 000058
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000059
はトーンの数であり、この範囲内で、前記ランダムアクセスプリアンブル信号（１６）に対するホッピングは規定され、ｃ（ｋ）は疑似ランダムシーケンスである、請求項３７または３８に記載のユーザ機器（１４）。
【請求項４０】
前記疑似ランダム周波数距離は、
2019508949.tif 000060
の関数であり、式中、
2019508949.tif 000061
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項３７または３８に記載のユーザ機器（１４）。
【請求項４１】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000062
および
2019508949.tif 000063
であり、
2019508949.tif 000064
は物理レイヤセル識別子である、請求項３９または４０に記載のユーザ機器（１４）。
【請求項４２】
前記疑似ランダム周波数距離はセル識別子の関数である、請求項３７から４１のいずれか一項に記載のユーザ機器（１４）。
【請求項４３】
前記一定周波数距離はシングルトーンの周波数距離を含む、請求項３７から４２のいずれか一項に記載のユーザ機器（１４）。
【請求項４４】
前記ランダムアクセスプリアンブル信号（１６）におけるそれぞれのシンボルグループ（１８）はサイクリックプレフィックスおよび２つ以上のシンボルを含む、請求項３７から４３のいずれか一項に記載のユーザ機器（１４）。
【請求項４５】
前記ランダムアクセスプリアンブル信号（１６）におけるそれぞれのシンボルグループ（１８）は、サイクリックプレフィックスおよび５つの同一のシンボルのシーケンスを含む、請求項３７から４４のいずれか一項に記載のユーザ機器（１４）。
【請求項４６】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項３７から４５のいずれか一項に記載のユーザ機器（１４）。
【請求項４７】
前記第２のセットにおけるシンボルグループ（１８）でホッピングした疑似ランダム周波数距離は、シングルトーンが及ぶ周波数距離の
2019508949.tif 000065
倍数を含む候補周波数距離から疑似ランダムに選択され、ここで、
2019508949.tif 000066
はトーンの数であり、この範囲内で、前記ランダムアクセスプリアンブル信号（１６）に対するホッピングは規定される、請求項４６に記載のユーザ機器（１４）。
【請求項４８】
前記周波数ホッピングパターンは、前記シンボルグループ（１８）の周波数ロケーションに依存する方向にシンボルグループ（１８）で前記ランダムアクセスプリアンブル信号（１６）を前記一定周波数距離でホッピングする、請求項３７から４７のいずれか一項に記載のユーザ機器（１４）。
【請求項４９】
前記周波数ホッピングパターンは、前記ランダムアクセスプリアンブル信号（１６）をランダムアクセスチャネルの帯域幅にわたってホッピングすることで、前記複数のシンボルグループ（１８）が前記ランダムアクセスチャネルの前記帯域幅に及ぶようにする、請求項３７から４８のいずれか一項に記載のユーザ機器（１４）。
【請求項５０】
前記異なる時間リソースのそれぞれは、シングルキャリア周波数分割多重アクセス（ＳＣ−ＦＤＭＡ）シンボルグループ間隔を含む、請求項３７から４９のいずれか一項に記載のユーザ機器（１４）。
【請求項５１】
前記シンボルグループ（１８）が生成される前記シングルトーンのそれぞれは、シングルキャリア周波数分割多重アクセス（ＳＣ−ＦＤＭＡ）サブキャリアである、請求項３７から５０のいずれか一項に記載のユーザ機器（１４）。
【請求項５２】
前記ユーザ機器（１４）は狭帯域のモノのインターネット（ＮＢ−ＩｏＴ）デバイスである、請求項３７から５１のいずれか一項に記載のユーザ機器（１４）。
【請求項５３】
前記ランダムアクセスプリアンブル信号（１６）は、狭帯域物理ランダムアクセスチャネル（ＮＢ−ＰＲＡＣＨ）上で送信される、請求項３７から５２のいずれか一項に記載のユーザ機器（１４）。
【請求項５４】
ランダムアクセスプリアンブル信号（１６）を受信するためにワイヤレス通信システム（１０）において使用するための無線ネットワークノード（１２）であって、
処理回路構成（１０２０）および無線回路構成（１０１０）を含み、これらによって、
ユーザ機器（１４）から信号を受信することと、
受信された前記信号について、それぞれのシンボルグループ（１８）が異なる時間リソースの間シングルトーン上にある複数のシンボルグループ（１８）を含むランダムアクセスプリアンブル信号（１６）を、周波数ホッピングパターンに従って検出するための試行を処理することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を行うように構成される、無線ネットワークノード。
【請求項５５】
前記無線ネットワークノード（１２）は、１つまたは複数の他の信号を１つまたは複数の他のユーザ機器から受信し、
前記１つまたは複数の他の信号について、前記ランダムアクセスプリアンブル信号（１６）と、周波数で多重化された１つまたは複数の他のランダムアクセスプリアンブル信号を、異なる周波数ホッピングパターンに従って検出するための試行を処理するように構成される請求項５４に記載の無線ネットワークノード。
【請求項５６】
前記疑似ランダム周波数距離は、
2019508949.tif 000067
の関数であり、式中、
2019508949.tif 000068
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000069
はトーンの数であり、この範囲内で、前記ランダムアクセスプリアンブル信号（１６）に対するホッピングは規定され、ｃ（ｋ）は疑似ランダムシーケンスである、請求項５４または５５に記載の無線ネットワークノード。
【請求項５７】
前記疑似ランダム周波数距離は、
2019508949.tif 000070
の関数であり、式中、
2019508949.tif 000071
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項５４または５５に記載の無線ネットワークノード。
【請求項５８】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000072
および
2019508949.tif 000073
であり、
2019508949.tif 000074
は物理レイヤセル識別子である、請求項５６または５７に記載の無線ネットワークノード。
【請求項５９】
前記疑似ランダム周波数距離はセル識別子の関数である、請求項５４から５８のいずれか一項に記載の無線ネットワークノード。
【請求項６０】
前記一定周波数距離はシングルトーンの周波数距離を含む、請求項５４から５９のいずれか一項に記載の無線ネットワークノード。
【請求項６１】
前記ランダムアクセスプリアンブル信号（１６）におけるそれぞれのシンボルグループ（１８）はサイクリックプレフィックスおよび２つ以上のシンボルを含む、請求項５４から５９のいずれか一項に記載の無線ネットワークノード。
【請求項６２】
前記ランダムアクセスプリアンブル信号（１６）におけるそれぞれのシンボルグループ（１８）は、サイクリックプレフィックスおよび５つの同一のシンボルのシーケンスを含む、請求項５４から６１のいずれか一項に記載の無線ネットワークノード。
【請求項６３】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項５４から６２のいずれか一項に記載の無線ネットワークノード。
【請求項６４】
前記第２のセットにおけるシンボルグループ（１８）でホッピングした疑似ランダム周波数距離は、シングルトーンが及ぶ周波数距離の
2019508949.tif 000075
倍数を含む候補周波数距離から疑似ランダムに選択され、ここで、
2019508949.tif 000076
はトーンの数であり、この範囲内で、前記ランダムアクセスプリアンブル信号（１６）に対するホッピングは規定される、請求項６３に記載の無線ネットワークノード。
【請求項６５】
前記周波数ホッピングパターンは、前記シンボルグループ（１８）の周波数ロケーションに依存する方向にシンボルグループ（１８）で前記ランダムアクセスプリアンブル信号（１６）を前記一定周波数距離でホッピングする、請求項５４から６４のいずれか一項に記載の無線ネットワークノード。
【請求項６６】
前記周波数ホッピングパターンは、前記ランダムアクセスプリアンブル信号（１６）をランダムアクセスチャネルの帯域幅にわたってホッピングすることで、前記複数のシンボルグループ（１８）が前記ランダムアクセスチャネルの前記帯域幅に及ぶようにする、請求項５４から６５のいずれか一項に記載の無線ネットワークノード。
【請求項６７】
前記異なる時間リソースのそれぞれは、シングルキャリア周波数分割多重アクセス（ＳＣ−ＦＤＭＡ）シンボルグループ間隔を含む、請求項５４から６６のいずれか一項に記載の無線ネットワークノード。
【請求項６８】
前記シンボルグループ（１８）が生成される前記シングルトーンのそれぞれは、シングルキャリア周波数分割多重アクセス（ＳＣ−ＦＤＭＡ）サブキャリアである、請求項５４から６７のいずれか一項に記載の無線ネットワークノード。
【請求項６９】
前記ユーザ機器（１４）は狭帯域のモノのインターネット（ＮＢ−ＩｏＴ）デバイスである、請求項５４から６８のいずれか一項に記載の無線ネットワークノード。
【請求項７０】
前記ランダムアクセスプリアンブル信号（１６）は、狭帯域物理ランダムアクセスチャネル（ＮＢ−ＰＲＡＣＨ）上で送信される、請求項５４から６９のいずれか一項に記載の無線ネットワークノード。
【請求項７１】
それぞれのシンボルグループ（１８）が１つまたは複数のシンボルを含む複数のシンボルグループ（１８）を含むランダムアクセスプリアンブル信号（１６）を送信するようにユーザ機器（１４）を構成するワイヤレス通信システム（１０）において使用するためのネットワークノード（１１００Ａ）であって、
処理回路構成（１１２０）および通信回路構成（１１１０）を含み、これらによって、
異なる時間リソースの間シングルトーン上にある前記シンボルグループ（１８）のそれぞれを前記ユーザ機器（１４）が従って生成する周波数ホッピングパターンのための１つまたは複数のパラメータを指示する構成情報を生成することであって、前記周波数ホッピングパターンは、１つまたは複数のシンボルグループ（１８）で前記ランダムアクセスプリアンブル信号（１６）を一定周波数距離でホッピングし、かつ１つまたは複数の他のシンボルグループ（１８）で前記ランダムアクセスプリアンブル信号（１６）を疑似ランダム周波数距離でホッピングする、生成することと、
前記構成情報を前記ユーザ機器（１４）に送信することと、を行うように構成される、ネットワークノード。
【請求項７２】
前記ネットワークノード（１１００Ａ）は、異なるタイプのユーザ機器に対するランダムアクセスプリアンブル信号が送信されることになる複数の異なる周波数帯域を構成するように構成され、前記異なる周波数帯域は異なる数のトーンを有する、請求項７１に記載のネットワークノード。
【請求項７３】
前記構成情報は、どの帯域においてユーザ機器（１４）はランダムアクセスプリアンブル信号（１６）を送信するべきであるかを指示する少なくとも１つのパラメータ、および／または前記帯域におけるトーンの数を指示する、請求項７１または７２に記載のネットワークノード。
【請求項７４】
前記疑似ランダム周波数距離は、
2019508949.tif 000077
の関数であり、式中、
2019508949.tif 000078
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000079
はトーンの数であり、この範囲内で、前記ランダムアクセスプリアンブル信号（１６）に対するホッピングは規定され、ｃ（ｋ）は疑似ランダムシーケンスである、請求項７１から７３のいずれか一項に記載のネットワークノード。
【請求項７５】
前記疑似ランダム周波数距離は、
2019508949.tif 000080
の関数であり、式中、
2019508949.tif 000081
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項７１から７３のいずれか一項に記載のネットワークノード。
【請求項７６】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000082
、および
2019508949.tif 000083
であり、
2019508949.tif 000084
は物理レイヤセル識別子である、請求項７４または７５に記載のネットワークノード。
【請求項７７】
前記疑似ランダム周波数距離はセル識別子の関数である、請求項７１から７６のいずれか一項に記載のネットワークノード。
【請求項７８】
前記一定周波数距離はシングルトーンの周波数距離を含む、請求項７１から７７のいずれか一項に記載のネットワークノード。
【請求項７９】
前記ランダムアクセスプリアンブル信号（１６）におけるそれぞれのシンボルグループ（１８）はサイクリックプレフィックスおよび２つ以上のシンボルを含む、請求項７１から７８のいずれか一項に記載のネットワークノード。
【請求項８０】
前記ランダムアクセスプリアンブル信号（１６）におけるそれぞれのシンボルグループ（１８）は、サイクリックプレフィックスおよび５つの同一のシンボルのシーケンスを含む、請求項７１から７９のいずれか一項に記載のネットワークノード。
【請求項８１】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項７１から８０のいずれか一項に記載のネットワークノード。
【請求項８２】
前記第２のセットにおけるシンボルグループ（１８）でホッピングした疑似ランダム周波数距離は、シングルトーンが及ぶ周波数距離の
2019508949.tif 000085
倍数を含む候補周波数距離から疑似ランダムに選択され、ここで、
2019508949.tif 000086
はトーンの数であり、この範囲内で、前記ランダムアクセスプリアンブル信号（１６）に対するホッピングは規定される、請求項８１に記載のネットワークノード。
【請求項８３】
前記周波数ホッピングパターンは、前記シンボルグループ（１８）の周波数ロケーションに依存する方向にシンボルグループ（１８）で前記ランダムアクセスプリアンブル信号（１６）を前記一定周波数距離でホッピングする、請求項７１から８２のいずれか一項に記載のネットワークノード。
【請求項８４】
前記周波数ホッピングパターンは、前記ランダムアクセスプリアンブル信号（１６）をランダムアクセスチャネルの帯域幅にわたってホッピングすることで、前記複数のシンボルグループ（１８）が前記ランダムアクセスチャネルの前記帯域幅に及ぶようにする、請求項７１から８３のいずれか一項に記載のネットワークノード。
【請求項８５】
前記異なる時間リソースのそれぞれは、シングルキャリア周波数分割多重アクセス（ＳＣ−ＦＤＭＡ）シンボルグループ間隔を含む、請求項７１から８４のいずれか一項に記載のネットワークノード。
【請求項８６】
前記シンボルグループ（１８）が生成される前記シングルトーンのそれぞれは、シングルキャリア周波数分割多重アクセス（ＳＣ−ＦＤＭＡ）サブキャリアである、請求項７１から８５のいずれか一項に記載のネットワークノード。
【請求項８７】
前記ユーザ機器（１４）は狭帯域のモノのインターネット（ＮＢ−ＩｏＴ）デバイスである、請求項７１から８６のいずれか一項に記載のネットワークノード。
【請求項８８】
前記ランダムアクセスプリアンブル信号（１６）は、狭帯域物理ランダムアクセスチャネル（ＮＢ−ＰＲＡＣＨ）上で送信される、請求項７１から８７のいずれか一項に記載のネットワークノード。
【請求項８９】
非一時的なコンピュータ可読媒体上に記憶され、かつワイヤレス通信システム（１０）において使用するために構成されたユーザ機器（１４）のプロセッサによって実行される時、前記ユーザ機器（１４）に、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成することと、
前記ランダムアクセスプリアンブル信号（１６）を送信することと、を行わせる命令を含む、コンピュータプログラム製品。
【請求項９０】
非一時的なコンピュータ可読媒体上に記憶され、かつワイヤレス通信システム（１０）において使用するために構成された無線ネットワークノード（１２）のプロセッサによって実行される時、前記無線ネットワークノード（１２）に、
ユーザ機器（１４）から信号を受信することと、
複数のシンボルグループ（１８）を含み、前記シンボルグループ（１８）のそれぞれが異なる時間リソースの間シングルトーン上にあるランダムアクセスプリアンブル信号（１６）を検出しようと試みて、周波数ホッピングパターンに従って受信された前記信号を処理することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を行わせる命令を含む、コンピュータプログラム製品。
【請求項９１】
非一時的なコンピュータ可読媒体上に記憶され、かつワイヤレス通信システム（１０）において使用するために構成されたネットワークノードのプロセッサによって実行される時、前記ネットワークノード（１１００Ａ、１１００Ｂ）に、それぞれのシンボルグループ（１８）が１つまたは複数のシンボルを含む複数のシンボルグループ（１８）を含むランダムアクセスプリアンブル信号（１６）を送信するようにユーザ機器（１４）を構成させる命令を含むコンピュータプログラム製品であって、前記命令は前記ネットワークノード（１１００Ａ、１１００Ｂ）に、
異なる時間リソースの間シングルトーン上にある前記シンボルグループ（１８）のそれぞれを前記ユーザ機器（１４）が従って生成する周波数ホッピングパターンのための１つまたは複数のパラメータを指示する構成情報を生成することであって、前記周波数ホッピングパターンは、１つまたは複数のシンボルグループ（１８）で前記ランダムアクセスプリアンブル信号（１６）を一定周波数距離でホッピングし、かつ１つまたは複数の他のシンボルグループ（１８）で前記ランダムアクセスプリアンブル信号（１６）を疑似ランダム周波数距離でホッピングする、生成することと、
前記構成情報を前記ユーザ機器（１４）に送信することと、を行わせる、コンピュータプログラム製品。
【発明の詳細な説明】
【技術分野】
【０００１】
関連出願
本出願は、２０１６年１月２９日に出願された米国特許仮出願第６２／２８８４３６号、および２０１６年１月２９日に出願された米国特許仮出願第６２／２８８６３３号に対する優先権を主張するものである。
【背景技術】
【０００２】
ネットワーク社会およびモノのインターネット（ＩｏＴ）は、セルラーネットワークに対する新しい要件、例えば、デバイス費用、バッテリ寿命、およびカバレッジと関連している。デバイスおよびモジュール費用を引き下げるために、集積型電力増幅器（ＰＡ）によるシステムオンチップ（ＳｏＣ）ソリューションを使用することは、非常に望ましい。しかしながら、現状技術のＰＡ技術に対して、ＰＡがＳｏＣに集積される時に２０〜２３ｄＢｍの送信電力を可能にすることが実現可能である。この制約は、ユーザ端末と基地局との間でどのくらいの伝搬損失が認められているのかに関係しているアップリンク「カバレッジ」を限定する。集積化ＰＡによって実現可能であるカバレッジを最大化するために、ＰＡバックオフを低減することが必要である。ＰＡバックオフは、通信信号が単一性なしピーク対平均電力比（ＰＡＰＲ）を有する時に必要である。ＰＡＰＲが高くなるほど、必要とされるＰＡバックオフは高くなる。ＰＡバックオフが高くなるほど、生じさせるＰＡ効率は低くなるため、デバイスのバッテリ寿命は低くなる。よって、ワイヤレスＩｏＴおよび他の技術に対して、できるだけ低いＰＡＰＲを有するアップリンク通信信号を設計することは、デバイス費用、バッテリ寿命、およびカバレッジに関するパフォーマンス目標を実現するために非常に重要である。
【０００３】
３ＧＰＰは、狭帯域ＩｏＴ（ＮＢ−ＩｏＴ）技術を標準化している。所望のＮＢ  ＩｏＴ特性を含むように既存のＬＴＥ仕様を進化させるために既存のＬＴＥエコシステム（ベンダおよびオペレータ）からの強力なサポートがある。しかしながら、ＬＴＥアップリンクは、アップリングデータおよび制御チャネルのためのシングルキャリア周波数分割多重アクセス（ＳＣ−ＦＤＭＡ）変調、およびランダムアクセスのためのＺａｄｏｆｆ−Ｃｈｕ信号に基づく。少なくとも部分的にこれらの信号のＰＡＰＲ性質によって、アップリンクアクセスに対する改善が必要とされている。
【発明の概要】
【０００４】
本明細書における方法は、ワイヤレス通信システムにおいて使用するために構成されたユーザ機器によって実行によって実行される。方法は、シンボルグループがそれぞれ異なる時間リソースの間シングルトーン上にある複数のシンボルグループを含むランダムアクセスプリアンブル信号を周波数ホッピングパターンに従って生成することであって、周波数ホッピングパターンは、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングし、それぞれのシンボルグループは１つまたは複数のシンボルを含む、生成することを含む。方法はまた、ランダムアクセスプリアンブル信号を送信することを含む。
【０００５】
いくつかの実施形態では、方法は、複数のシンボルグループのうちの最初の１つを送信するためのシングルトーンをランダムに選択することと、周波数ホッピングパターンに従って複数のシンボルグループの後続のものをそれぞれ送信するためのシングルトーンを選択することとを含む。
【０００６】
本明細書における実施形態は、無線ネットワークノードによって実行によって実行される対応する方法も含む。方法は、ワイヤレス通信デバイス（例えば、ユーザ機器）から信号を受信することを含む。方法は、複数のシンボルグループを含み、それぞれのシンボルグループが異なる時間リソースの間シングルトーン上にあるランダムアクセスプリアンブル信号を検出しようと試みて、周波数ホッピングパターンに従って受信された信号を処理することであって、前記周波数ホッピングパターンは、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングし、それぞれのシンボルグループは１つまたは複数のシンボルを含む、処理することをさらに含む。
【０００７】
いくつかの実施形態では、無線ネットワークノードによって行われる方法は、１つまたは複数の他のユーザ機器から１つまたは複数の他の信号を受信することと、異なる周波数ホッピングパターンに従って、ランダムアクセスプリアンブル信号によって周波数が多重化された１つまたは複数の他のランダムアクセスプリアンブル信号を検出しようと試みて１つまたは複数の他の信号を処理することとを含む。
【０００８】
実施形態は、それぞれのシンボルグループが１つまたは複数のシンボルを含む複数のシンボルグループを含むランダムアクセスプリアンブル信号を送信するようにユーザ機器を構成するワイヤレス通信システムにおいてネットワークノードによって実行によって実行される方法をさらに含む。方法は、異なる時間リソースの間シングルトーン上にあるシンボルグループのそれぞれをユーザ機器が従って生成する周波数ホッピングパターンのための１つまたは複数のパラメータを指示する構成情報を生成することを含む。周波数ホッピングパターンは、１つまたは複数のシンボルグループでランダムアクセスプリアンブル信号を一定周波数距離でホッピングし、かつ１つまたは複数の他のシンボルグループでランダムアクセスプリアンブル信号を疑似ランダム周波数距離でホッピングする。方法は、構成情報をユーザ機器に送信することをさらに含む。
【０００９】
いくつかの実施形態では、ネットワークノードによって実行によって実行される方法は、異なるタイプのユーザ機器に対するランダムアクセスプリアンブル信号が送信されることになる複数の異なる周波数帯域を構成することであって、異なる周波数帯域は異なる数のトーンを有する、構成することをさらに含む。
【００１０】
ネットワークノードによって実行される方法について代替的にはまたはさらに、構成情報は、どの帯域においてユーザ機器はランダムアクセスプリアンブル信号を送信するべきであるかを指示する少なくとも１つのパラメータ、および／または該帯域におけるトーンの数を指示することができる。
【００１１】
いくつかの実施形態では、疑似ランダム周波数距離は、
2019508949.tif 000003
の関数であり、式中、
2019508949.tif 000004
であり、ｔはシンボルグループインデックスであり、ランダムアクセスプリアンブル信号はＴのシンボルグループごとに疑似ランダム周波数距離でホッピングし、
2019508949.tif 000005
はトーンの数であり、この範囲内で、ランダムアクセスプリアンブル信号に対するホッピングは規定され、ｃ（ｋ）は疑似ランダムシーケンスである。他の実施形態では、疑似ランダム周波数距離は、
2019508949.tif 000006
の関数であり、式中、
2019508949.tif 000007
はトーンの数であり、この範囲内で、ランダムアクセスプリアンブル信号に対するホッピングは規定され、ｃ（ｋ）は疑似ランダムシーケンスであり、ｉ＝０、１、２、…は周波数ホッピングパターンにおける連続した疑似ランダム周波数ホッピングのインデックスである。これらの実施形態のどちらかまたは両方において、疑似ランダムシーケンスｃ（ｋ）は長さＭＰＮのシーケンスを含んでよく、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000008
、
2019508949.tif 000009
、および
2019508949.tif 000010
であり、式中、
2019508949.tif 000011
は物理レイヤセル識別子である。
【００１２】
上記の実施形態のいずれかにおいて、疑似ランダム周波数距離は、セル識別子（例えば、狭帯域物理レイヤセル識別子）の関数であってよい。
【００１３】
代替的にはまたはさらに、一定周波数距離はシングルトーンの周波数距離を含んでよい。
【００１４】
上記の実施形態のいずれかにおいて、ランダムアクセスプリアンブル信号におけるそれぞれのシンボルグループは、サイクリックプレフィックスおよび２つ以上のシンボルを含んでよい。
【００１５】
いくつかの実施形態では、ランダムアクセスプリアンブル信号におけるそれぞれのシンボルグループは、サイクリックプレフィックスおよび５つの同一のシンボルを含む。
【００１６】
１つまたは複数の実施形態において、周波数ホッピングパターンは、１つまたは複数のシンボルグループの第１のセットのそれぞれのシンボルグループにおいてランダムアクセスプリアンブル信号を一定周波数距離でホッピングし、かつ第１のセットとは異なる１つまたは複数のシンボルグループの第２のセットのそれぞれのシンボルグループにおいてランダムアクセスプリアンブル信号を疑似ランダム周波数距離でホッピングする。１つの実施形態では、例えば、第２のセットにおけるシンボルグループでホッピングした疑似ランダム周波数距離は、シングルトーンが及ぶ周波数距離の
2019508949.tif 000012
倍数を含む候補周波数距離から疑似ランダムに選択され、ここで、
2019508949.tif 000013
はトーンの数であり、この範囲内で、ランダムアクセスプリアンブル信号に対するホッピングは規定される。
【００１７】
いくつかの実施形態では、周波数ホッピングパターンは、シンボルグループの周波数ロケーションに依存する方向にシンボルグループでランダムアクセスプリアンブル信号を一定周波数距離でホッピングする。
【００１８】
代替的にはまたはさらに、周波数ホッピングパターンは、ランダムアクセスプリアンブル信号をランダムアクセスチャネルの帯域幅にわたってホッピングすることで、複数のシンボルグループがランダムアクセスチャネルの帯域幅に及ぶようにする。
【００１９】
上記の実施形態のいずれかにおいて、異なる時間リソースのそれぞれは、シングルキャリア周波数分割多重アクセス（ＳＣ−ＦＤＭＡ）シンボルグループ間隔を含んでよい。代替的にはまたはさらに、シンボルグループが生成されるシングルトーンのそれぞれは、シングルキャリア周波数分割多重アクセス（ＳＣ−ＦＤＭＡ）サブキャリアであってよい。
【００２０】
いくつかの実施形態では、ユーザ機器は狭帯域のモノのインターネット（ＮＢ−ＩｏＴ）デバイスである。
【００２１】
１つまたは複数の実施形態では、ランダムアクセスプリアンブル信号は、狭帯域物理ランダムアクセスチャネル（ＮＢ−ＰＲＡＣＨ）上で送信される。
【００２２】
本明細書における実施形態は、ランダムアクセスプリアンブル信号を送信するためにワイヤレス通信システムにおいて使用するためのユーザ機器も含む。ユーザ機器は、シンボルグループがそれぞれ異なる時間リソースの間シングルトーン上にある複数のシンボルグループを含むランダムアクセスプリアンブル信号を、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、生成するように構成される。それぞれのシンボルグループは１つまたは複数のシンボルを含む。ユーザ機器は、ランダムアクセスプリアンブル信号を送信するようにさらに構成される。
【００２３】
ユーザ機器は、上述した実施形態のいずれかの方法を行うように構成されてもよい。
【００２４】
実施形態は、ランダムアクセスプリアンブル信号を受信するためにワイヤレス通信システムにおいて使用するための無線ネットワークノードをさらに含む。無線ネットワークノードは、ユーザ機器から信号を受信するように構成される。無線ネットワークノードは、複数のシンボルグループを含み、それぞれの該シンボルグループが異なる時間リソースの間シングルトーン上にあるランダムアクセスプリアンブル信号を検出しようと試みて、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、受信された信号を処理するようにさらに構成され、それぞれのシンボルグループは１つまたは複数のシンボルを含む。
【００２５】
無線ネットワークノードは、上述した実施形態のいずれかの方法を行うように構成されてもよい。
【００２６】
実施形態は、それぞれのシンボルグループが１つまたは複数のシンボルを含む複数のシンボルグループを含むランダムアクセスプリアンブル信号を送信するようにユーザ機器を構成するワイヤレス通信システムにおいて使用するためのネットワークノードも含む。ネットワークノードは、異なる時間リソースの間シングルトーン上にあるシンボルグループのそれぞれをユーザ機器が従って生成する周波数ホッピングパターンのための１つまたは複数のパラメータを指示する構成情報を生成するように構成され、周波数ホッピングパターンは、１つまたは複数のシンボルグループでランダムアクセスプリアンブル信号を一定周波数距離でホッピングし、かつ１つまたは複数の他のシンボルグループでランダムアクセスプリアンブル信号を疑似ランダム周波数距離でホッピングする。ネットワークノードはまた、構成情報をユーザ機器に送信するように構成される。
【００２７】
ネットワークノードは、上述した実施形態のいずれかの方法を行うように構成されてもよい。
【００２８】
本明細書における実施形態は、ノードの少なくとも１つのプロセッサによって実行される時、ノードに上記の実施形態のいずれの方法を行わせる命令を含むコンピュータプログラムをさらに含む。実施形態は、このコンピュータプログラムを含有するキャリアも含む。この場合、キャリアは、電子信号、光信号、無線信号、またはコンピュータ可読記憶媒体のうちの１つであってよい。
【００２９】
１つまたは複数の特定の実施形態によると、ランダムアクセスプリアンブル信号は、ＮＢ−ＩｏＴの物理ランダムアクセスチャネル（ＰＲＡＣＨ）に対して設計される信号である。新しいＰＲＡＣＨ信号は、シングルトーンベースであり、かつ極めて低いＰＡＰＲを有するため、ＰＡバックオフの必要性を最大限まで低減し、かつＰＡ効率を最大化する。新しいＰＲＡＣＨ信号は、ＳＣ−ＦＤＭＡ、および、任意のＯＦＤＭシンボル間隔にあるような直交周波数分割多重アクセス（ＯＦＤＭＡ）に対応しており、新しいＰＲＡＣＨ信号は１つのシングルサブキャリアのＯＦＤＭ信号のように見える。シングルサブキャリア信号に対して、ＯＦＤＭ信号はＳＣ−ＦＤＭＡ信号と同一であることは留意されたい。さらに、ホッピングパターンは、（１）精確な到達時間推定が基地局によって行われることが可能であるように、（２）異なるプリアンブルの直交性を維持しながら、周波数リソースがＰＲＡＣＨによって十分に利用可能であるように、慎重に設計される。
【図面の簡単な説明】
【００３０】
【図１】１つまたは複数の実施形態による、ワイヤレス通信デバイスおよび無線ネットワークノードを含むワイヤレス通信システムのブロック図である。
【図２】１つまたは複数の実施形態による周波数ホッピングパターンの例を示すブロック図である。
【図３】１つまたは複数の他の実施形態による周波数ホッピングパターンの例を示すブロック図である。
【図４】１つまたは複数の実施形態による、１２トーン帯域内の周波数ホッピングパターンの多重化の例を示すブロック図である。
【図５】１つまたは複数の他の実施形態による、１２トーン帯域内の周波数ホッピングパターンの多重化の例を示すブロック図である。
【図６】いくつかの実施形態による、異なる送信帯域幅によるランダムアクセスプリアンブル信号に対する到達時間推定のパフォーマンスを示す線グラフである。
【図７】１つまたは複数の実施形態による、異なる数のトーンによる複数の異なるランダムアクセスチャネル帯域の構成を示すブロック図である。
【図８】１つまたは複数の実施形態による、８トーン帯域内の周波数ホッピングパターンの多重化の例を示すブロック図である。
【図９】１つまたは複数の他の実施形態による、８トーン帯域内の周波数ホッピングパターンの多重化の例を示すブロック図である。
【図１０】１つまたは複数の実施形態による、ランダムアクセスプロシージャのステップを示すコールフロー図である。
【図１１】１つまたは複数の実施形態による、ランダムアクセスプリアンブルの送信を示すタイミング図である。
【図１２】１つまたは複数の実施形態による、シンボルグループを示すブロック図である。
【図１３】いくつかの実施形態による、シンボルグループの特定の例を示すブロック図である。
【図１４Ａ】固定サイズホッピング距離を用いる周波数ホッピングパターンの到達時間パフォーマンスを示すグラフである。
【図１４Ｂ】固定サイズホッピング距離を用いる周波数ホッピングパターンの到達時間パフォーマンスを示すグラフである。
【図１４Ｃ】１つまたは複数の実施形態による、固定サイズホッピング距離および疑似ランダムホッピング距離を用いる周波数ホッピングパターンの到達時間パフォーマンスを示すグラフである。
【図１４Ｄ】１つまたは複数の実施形態による、固定サイズホッピング距離および疑似ランダムホッピング距離を用いる周波数ホッピングパターンの到達時間パフォーマンスを示すグラフである。
【図１５Ａ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１５Ｂ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１５Ｃ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１５Ｄ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１５Ｅ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１５Ｆ】いくつかの実施形態による、異なるホッピング範囲内のおよび異なるプリアンブル長に対する、固定サイズホッピング距離および疑似ランダムホッピング距離を用いる周波数ホッピングパターンの到達時間パフォーマンスを示すグラフである。
【図１６Ａ】いくつかの実施形態によるワイヤレス通信デバイスによって行われる方法の論理フロー図である。
【図１６Ｂ】いくつかの実施形態による無線ネットワークノードによって行われる方法の論理フロー図である。
【図１７Ａ】いくつかの実施形態によるネットワークノードによって行われる方法の論理フロー図である。
【図１７Ｂ】いくつかの実施形態によるワイヤレス通信デバイスによって行われる方法の論理フロー図である。
【図１８Ａ】他の実施形態によるワイヤレス通信デバイスによって行われる方法の論理フロー図である。
【図１８Ｂ】他の実施形態による無線ネットワークノードによって行われる方法の論理フロー図である。
【図１９Ａ】他の実施形態によるネットワークノードによって行われる方法の論理フロー図である。
【図１９Ｂ】他の実施形態によるワイヤレス通信デバイスによって行われる方法の論理フロー図である。
【図２０Ａ】いくつかの実施形態によるユーザ機器のブロック図である。
【図２０Ｂ】他の実施形態によるユーザ機器のブロック図である。
【図２０Ｃ】さらに他の実施形態によるユーザ機器のブロック図である。
【図２１Ａ】いくつかの実施形態による基地局のブロック図である。
【図２１Ｂ】他の実施形態による基地局のブロック図である。
【図２１Ｃ】さらに他の実施形態による基地局のブロック図である。
【図２２Ａ】いくつかの実施形態によるネットワークノードのブロック図である。
【図２２Ｂ】他の実施形態によるネットワークノードのブロック図である。
【図２３Ａ】さらに他の実施形態によるワイヤレス通信デバイスによって行われる方法の論理フロー図である。
【図２３Ｂ】さらに他の実施形態による無線ネットワークノードによって行われる方法の論理フロー図である。
【図２４Ａ】さらに他の実施形態によるネットワークノードによって行われる方法の論理フロー図である。
【図２４Ｂ】さらに他の実施形態によるワイヤレス通信デバイスによって行われる方法の論理フロー図である。
【発明を実施するための形態】
【００３１】
図１は、１つまたは複数の実施形態による、ワイヤレス通信システム１０（例えば、狭帯域ＩｏＴ（ＮＢ−ＩｏＴ）システム）を示す。システム１０は、無線ネットワークノード１２（例えば、ｅＮＢ）およびワイヤレス通信デバイス１４（例えば、ＮＢ−ＩｏＴデバイスであってよいユーザ機器）を含む。デバイス１４は、例えば、無線リンクを確立する時の初期アクセスのための、スケジューリング要求を送信するための、および／またはアップリンク同期を実現するためのランダムアクセスを行うように構成される。ランダムアクセスによって実現される特定の目的にかかわらず、デバイス１４は、ランダムアクセスの一部分として無線ネットワークノード１２に送信するためのランダムアクセスプリアンブル信号１６を生成する。システム１０が、例えば、ＮＢ−ＩｏＴシステムである場合、デバイス１４は狭帯域物理ランダムアクセスチャネル（ＮＢ−ＰＲＡＣＨ）上でランダムアクセスプリアンブル信号を送信することができる。
【００３２】
デバイス１４は、この関連で、複数のシンボルグループ１８（例えば、Ｌの数のグループ）を含むランダムアクセスプリアンブル信号１６を生成する。これらの複数のシンボルグループ１８は、例えば、グループ１８Ａ、１８Ｂ…、１８Ｘ、１８Ｙと示される。それぞれのシンボルグループ１８は、１つまたは複数のシンボル（例えば、サイクリックプレフィックス、および５つの同一シンボルのシーケンス）を含む。また、デバイス１４は、それぞれのシンボルグループ１８が異なる時間リソース（例えば、ＯＦＤＭまたはＳＣ−ＦＤＭＡシンボル間隔）中に生じるようにランダムアクセスプリアンブル信号１６を生成する。図１は、デバイス１４が、このように、例えば、重複させずに順番にまたは連続して、複数のシンボルグループ１８を時間的に連結することによってランダムアクセス信号１６を生成することができる。
【００３３】
デバイス１４は、シングルトーン（例えば、ＯＦＤＭまたはＳＣ−ＦＤＭＡサブキャリアなどのサブキャリア）でそれぞれのグループ１８によるランダムアクセスプリアンブル信号１６を生成する。すなわち、任意の時間リソースの間のそれぞれのグループ１８は、周波数のシングルトーンのみに及ぶ。しかしながら、グループ１８は、全く同じトーンではない。むしろ、デバイス１４は、ランダムアクセスプリアンブル信号送信をトーンごとにホッピングする周波数ホッピングパターンに従ってランダムアクセスプリアンブル信号１６を生成する。すなわち、周波数ホッピングパターンは、このシングルトーンに基づいて、それぞれのシンボルグループ１８がその対応する時間リソースの間に生じるように調節することで、シンボルグループ１８が生じる周波数のシングルトーンで効果的にホッピングする。
【００３４】
少なくともいくつかの実施形態において、周波数ホッピングパターンが、このシングルトーンに基づいて第１のシンボルグループの後のシンボルグループ１８が生じるように調節することは留意されたい。１つの実施形態では、例えば、第１のシンボルグループが生じるシングルトーンは（例えば、信号の送信帯域幅におけるそれらのトーンから）ランダムに選択され、シンボルグループの後続のものが対応して生じるシングルトーンは、周波数ホッピングパターンに従って選択される（すなわち、これによって調節される）。
【００３５】
特に、周波数ホッピングパターンは、１つまたは複数のシンボルグループ１８でランダムアクセスプリアンブル信号１６を一定周波数距離でホッピングし、かつ、１つまたは複数の他のシンボルグループ１８でランダムアクセスプリアンブル信号１６を複数の異なる可能な周波数距離のうちの１つでホッピングする。該パターンは、例えば、一定周波数距離にわたって、信号をシンボルグループのうちの１つから隣接するシンボルグループまでホッピングし、かつ、疑似ランダム周波数距離にわたって、信号を、シンボルグループのうちのもう１つから隣接するシンボルグループまでホッピングすることができる。それぞれのシンボルグループ１８が対応する時間リソースの間にシングルトーンで生じることで、周波数ホッピングパターンはまた、１つまたは複数の時間リソースでランダムアクセスプリアンブル信号１６を一定周波数距離でホッピングし、かつ１つまたは複数の他の時間リソースでランダムアクセスプリアンブル信号１６を複数の異なる可能な周波数距離のうちの１つでホッピングすると特徴付けられてよい。
【００３６】
図１に示されるように、例えば、シンボルグループ１８Ｂ（または、この対応する時間リソース）において、パターンは、ランダムアクセスプリアンブル信号１６を一定周波数距離Ｄ１でホッピングすることで、シンボルグループ１８Ｂが、先のシンボルグループ１８Ａが生じたシングルトーンから離れた一定周波数距離Ｄ１であるシングルトーンで生じるようにする。この一定周波数距離Ｄ１はシングルトーンの周波数距離として示されるが、これは、先のシンボルグループ１８Ａが隣接トーンで生じたからである。それに反して、シンボルグループ１８Ｙ（または、その対応する時間リソース）において、パターンは、ランダムアクセスプリアンブル信号１６を（例えば、疑似ランダムに生成または選択されてよい）複数の異なる可能な周波数距離２０のうちの１つでホッピングすることで、シンボルグループ１８Ｙが、先のシンボルグループ１８Ｘが生じたシングルトーンから離れた複数の異なる可能な周波数距離２０のうちの１つであるシングルトーンで生じるようにする。いくつかの実施形態では、従って、パターンは、ランダムアクセスプリアンブル信号１６を一定距離ごとにいくつかのシンボルグループでホッピングするが、ランダムアクセスプリアンブル信号１６を可変または疑似ランダム距離ごとに他のシンボルグループでホッピングする。いずれにしても、図１は、周波数距離Ｄ２、Ｄ３、およびＤ４を含むこれらの可能な距離２０を示すが、２つ以上の可能な距離２０による他の例が考えられる。ともかく、図１は、一例として、ホッピングパターンがランダムアクセスプリアンブル信号１６を、（シンボルグループ１８Ｘが生じたシングルトーンに対して）シンボルグループ１８Ｙにおける周波数距離Ｄ２でホッピングすることを示す。この周波数距離Ｄ２は、特に、複数の異なる可能な周波数距離２０が距離Ｄ１を含まない場合、周波数距離Ｄ１と異なっていてよい。従って、この場合、パターンは、ランダムアクセスプリアンブル信号１６を異なるシンボルグループ１８Ｂ、１８Ｙにおいて異なる周波数距離Ｄ１、Ｄ２でホッピングする。
【００３７】
１つまたは複数の実施形態では、上に示唆されるように、複数の異なる可能な周波数距離２０は、例えば、規定された規則または式に従って、疑似ランダムに選択または生成されてよいそのような周波数距離２０を含む。この場合、周波数ホッピングパターンは、ランダムアクセスプリアンブル信号１６を１つまたは複数のシンボルグループ１８において一定周波数距離でホッピングし、かつ、ランダムアクセスプリアンブル信号１６を１つまたは複数の他のシンボルグループ１８において疑似ランダム周波数距離でホッピングする。パターンは、例えば、ランダムアクセスプリアンブル信号１６を、一定周波数距離にわたってシンボルグループのうちの１つから隣接するシンボルグループまでホッピングし、かつ、ランダムアクセスプリアンブル信号１６を、疑似ランダム周波数距離にわたって、シンボルグループのうちのもう１つから隣接するシンボルグループまでホッピングすることができる。それゆえに、図１における周波数距離Ｄ１は一定周波数距離であってよいのに対し、周波数距離Ｄ２は疑似ランダム周波数距離であってよい。
【００３８】
少なくともいくつかの実施形態では、一定周波数距離Ｄ１は、ある特定の目的と関連している周波数距離閾値以下である。複数の異なる可能な周波数距離２０のうちの少なくとも１つは、この周波数距離閾値を上回る。複数の異なる可能な周波数距離２０が、例えば、疑似ランダム周波数距離である場合、これは、疑似ランダムに選択または生成されてよい周波数距離の範囲が周波数距離閾値を上回る少なくとも１つの周波数距離を含むことを意味する。この周波数距離閾値は、例えば、１つまたは２つのトーンが及ぶ距離であってよい。
【００３９】
いくつかの実施形態では、例えば、この目的は、例えば、アップリンク同期の目的で、目標とされるセルサイズおよび／または目標とされる到達時間推定範囲である。この場合、周波数距離閾値は、この目的を実現するだけでなく、目標タイミング推定精度を実現するように設定されてよい。
【００４０】
この関連でより詳細には、ホッピングによって引き起こされる、２つの隣接する受信済みシンボルグループの位相差は、２＊Ｐｉの位相不確定性になる傾向があり、これによって、到達時間推定が混乱する場合がある。２＊Ｐｉの位相不確定性を回避しようと試みて、長いホッピング距離Ｄが選定されてよい。しかしながら、これは、到達時間推定範囲を縮小し、さらにまたサポート可能であるセルサイズを縮小することを犠牲にして行われることが考えられる。従って、短い周波数ホッピング距離を使用して、ある特定のセルサイズがサポート可能であることを確かなものにしてよい。例えば、３５ｋｍのセルサイズおよび３．７５ｋＨｚのサブキャリア間隔で、せいぜい１つのトーンによるいくつかのホッピングであるものとする。
【００４１】
一方、ホッピングによる２つの隣接する受信済みシンボルグループの位相差は、ホッピング距離Ｄに比例する。これは、長いホッピング距離Ｄを選定することによって、観測される位相差をノイズに対してより堅牢にし、このことはさらにまた、到達時間推定パフォーマンスの改善に役立つことを意味する。効果的には、タイミング推定精度は、ランダムアクセスプリアンブル信号１４の信号帯域幅または送信帯域幅に反比例する。すなわち、信号をより広い帯域幅にわたって拡散することによって、より良いタイミング推定精度が実現される。これは、疑似ランダムホッピングが使用される時、疑似ランダムホッピング範囲が広いほど、到達時間推定の相関ピークは狭くなるため、推定はより精確になる。
【００４２】
従って、目標到達時間推定範囲および目標タイミング推定精度両方の実現は、いくつかの実施形態では、時に、目標とされる推定範囲を実現するのに十分短い周波数距離でホッピングし、またある時には、目標とされる推定精度を実現するのに十分長い周波数距離でホッピングする周波数ホッピングパターンを用いることによって達成される。換言すれば、周波数ホッピングに対する複数の周波数距離（すなわち、複数のレベルまたはサイズ）が使用される（例えば、第１のレベルの固定サイズホッピングに加えて追加のホッピングが使用される）。複数の周波数距離が使用されるが、十分な到達時間推定範囲を可能にする（言い換えると、目標セルサイズをサポートする）のに十分短いいくつかのホッピング距離があるものとするという制約がある。
【００４３】
代替的にはまたはさらに、図１における周波数ホッピングパターンは、ランダムアクセスプリアンブル信号１６を１つまたは複数のシンボルグループの第１のセットのそれぞれのシンボルグループにおいて一定周波数距離でホッピングし、かつランダムアクセスプリアンブル信号１６を第１のセットとは異なる１つまたは複数のシンボルグループの第２のセットのそれぞれのシンボルグループにおいて複数の異なる可能な周波数距離のうちの１つでホッピングする。第１のセットおよび第２のセットは、この関連で、時間的にインターレース方式でかつ非重複であってよく、両方のセットはどの他のシンボルグループも含む。複数の異なる可能な周波数距離は、例えば、疑似ランダムに生成または選択されてよい。ともかく、一定周波数距離は、上述されるような（例えば、短い周波数距離が必要とされる）規定の目的を実現するように設定されてよいのに対し、複数の異なる可能な周波数距離は、信号帯域幅の全てまたはほぼ全てにわたってランダムアクセスプリアンブル信号１６をホッピングするために（例えば、タイミング推定精度を改善するために）確立されてよい。
【００４４】
これらのまたは他の実施形態では、周波数ホッピングパターンは、２つのホッピングパターン、すなわち、一定距離ホッピングパターンおよびマルチ距離ホッピングパターンの組み合わせとして生成されてよい。一定距離ホッピングパターンは、ランダムアクセスプリアンブル信号１６を１つまたは複数のシンボルグループの第１のセットのそれぞれのシンボルグループにおいて一定周波数距離でホッピングする。マルチ距離ホッピングパターンは、ランダムアクセスプリアンブル信号１６を第１のセットとは異なる１つまたは複数のシンボルグループの第２のセットのそれぞれのシンボルグループにおいて複数の異なる可能な周波数距離のうちの１つでホッピングする。このマルチ距離ホッピングパターンは疑似ランダムホッピングパターンであってよい。
【００４５】
図２は、第２のセットのシンボルグループでホッピングする周波数距離が、シングルトーンが及ぶ周波数距離の
2019508949.tif 000014
倍数を含む候補周波数距離から選択され、式中、
2019508949.tif 000015
はランダムアクセスプリアンブル信号の送信帯域幅内のトーンの数、および／またはランダムアクセスプリアンブル信号１６に対するホッピングが規定される範囲内のトーンの数である、１つの例を示す。図２は、この例を、信号が、
2019508949.tif 000016
である、狭帯域物理ランダムアクセスチャネル（ＮＢ−ＰＲＡＣＨ）上で送信されるＬＴＥまたはＮＢ−ＩｏＴコンテキストで示す。図２におけるシンボルグループは、インデックスｔによって、時間的に連続して索引付けされる。このシンボルグループインデックスｔは、ＰＲＡＣＨグループインデックスと称されてよい。
【００４６】
図２では、それぞれの偶数のＰＲＡＣＨグループインデックスｔ、すなわち、０、２、４、…、において、ホッピングは疑似ランダムであり、かつ、ＰＲＡＣＨ帯域における任意の値（すなわち、
2019508949.tif 000017
である、０〜１１の任意の値）とすることができる。それぞれの奇数のＰＲＡＣＨグループインデックスｔにおいて、ホッピングは、ＰＲＡＣＨグループインデックスｔ−１において使用されるトーンに対する固定サイズホッピング（例えば、１トーン）である。それゆえに、ＰＲＡＣＨ帯域におけるどの
2019508949.tif 000018
のトーンもＰＲＡＣＨサブバンドと呼ばれてよく、この場合、ｎｍｉｃｒｏは固定ホッピングのサイズを示す。例えば、図２において、固定ホッピングのサイズは１であり、ＰＲＡＣＨ帯域におけるどの
2019508949.tif 000019
のトーンもＰＲＡＣＨサブバンドを構成する。ＰＲＡＣＨ帯域は従って、複数の異なるサブバンドから成り、それぞれのサブバンドは、ランダムアクセスプリアンブル信号を一定周波数距離でホッピングするＰＲＡＣＨ帯域のサブセットである。固定ホッピングのサイズが２トーンである示されない他の実施形態では、ＰＲＡＣＨ帯域におけるどの
2019508949.tif 000020
のトーンもＰＲＡＣＨサブバンドを構成する。従って、ＰＲＡＣＨ帯域におけるトーンの数
2019508949.tif 000021
は周波数リソース全てを十分に使用するために
2019508949.tif 000022
で除算可能とする。
【００４７】
少なくともいくつかの実施形態は、例えば、シンボルグループ１８がＰＲＡＣＨの帯域幅に及ぶように、ＰＲＡＣＨの帯域幅にわたってランダムアクセスプリアンブル信号１６をホッピングすることによって、ＰＲＡＣＨに対する周波数リソースを十分に利用している。例えば、図２に示される実施形態によると、特定の奇数のグループインデックスにおける固定サイズホッピングは、「上方」または「下方」のどちらかとすることができるが、偶数のインデックスにおけるホッピングは疑似ランダムである。ＰＲＡＣＨサブバンドに位置するＰＲＡＣＨ送信について、送信に偶数のグループインデックスｔにおけるサブバンドの下半分におけるトーンを使用する場合、送信はグループインデックスｔ＋１で「上方」にジャンプすることになる。送信に偶数のグループインデックスｔにおけるサブバンドの上半部におけるトーンを使用する場合、送信はグループインデックスｔ＋１において「下方」にジャンプすることになる。このおよび他の実施形態では、従って、周波数ホッピングパターンは、ランダムアクセスプリアンブル信号１６を、シンボルグループの周波数ロケーションに依存する方向にシンボルグループにおいて一定周波数距離でホッピングする。
【００４８】
図３は、代わりに、第２のセットにおけるシンボルグループでホッピングした周波数距離が、シングルトーンが及ぶ周波数距離の
2019508949.tif 000023
倍数を含む候補周波数距離から選択され、式中、
2019508949.tif 000024
はランダムアクセスプリアンブル信号の送信帯域幅におけるトーンの数であり、ここで、
2019508949.tif 000025
は任意のサブバンドにおけるトーンの数である、異なる例を示す。図３は、再び、この例を、
2019508949.tif 000026
および
2019508949.tif 000027
である、信号がＰＲＡＣＨ上で送信されるＬＴＥまたはＮＢ−ＩｏＴコンテキストで示す。
【００４９】
図３において、それぞれの偶数のＰＲＡＣＨグループインデックス、すなわち、０、２、４、…において、ホッピングはＰＲＡＣＨ帯域でトーンのサブセットにおいて疑似ランダムである。それぞれの奇数のＰＲＡＣＨグループインデックスｔでは、ホッピングは、ＰＲＡＣＨグループインデックスｔ−１で使用されるトーンに対する固定サイズホッピングである。固定サイズホッピングは常に「上方」または常に「下方」である。図３では、固定ホッピングのサイズは１である。
【００５０】
図３におけるホッピングパターンと図２におけるホッピングパターンとの差異に留意されたい。図３における疑似ランダムホッピングパターンはＰＲＡＣＨサブバンドベースであり、図１における疑似ランダムホッピングはトーンベースである。換言すれば、図２における疑似ランダムホッピングの可能なサイズは
2019508949.tif 000028
とすることができるのに対し、図３における疑似ランダムホッピングの可能なサイズは
2019508949.tif 000029
とすることしかできない。さらにまた、ＰＲＡＣＨ帯域におけるトーンの数
2019508949.tif 000030
は
2019508949.tif 000031
で除算可能であると想定される。さらに、特定のＰＲＡＣＨ送信について、図３に示されるホッピングパターンによって、固定サイズホッピングは常に送信中「上方」または「下方」のどちらかであり、図２に示されるホッピングパターンでは、固定サイズホッピングは「上方」と「下方」との間で変更可能である。これらの差異は図２および図３において見られ得る。
【００５１】
それぞれのＰＲＡＣＨプリアンブルが効果的に、任意の時間リソースの間に１つのトーンのみ使用するため、異なるプリアンブルは周波数領域で多重化可能である。いくつかの実施形態では、従って、無線ネットワークノード１２は、１つまたは複数の他の信号を１つまたは複数の他のユーザ機器から受信し、かつそれらの１つまたは複数の他の信号を、異なる周波数ホッピングパターンに従って、ランダムアクセスプリアンブル信号１６と周波数で多重化された１つまたは複数の他のランダムアクセスプリアンブル信号を検出しようと試みて処理するように構成される。
【００５２】
ホッピングパターンは、いくつかの実施形態では、周波数リソースがＰＲＡＣＨによって十分利用可能であるように設計される。例えば、図４は、図２に示されるホッピングパターンに対応して、１２のＰＲＡＣＨ周波数ホッピングパターンの多重化を示す。それぞれの塗りつぶしパターン（または参照番号／文字）は１つの周波数ホッピングパターンを表す。図５は、図３に示されるホッピングパターンに対応して、１２のＰＲＡＣＨ周波数ホッピングパターンの多重化を示す。一般に、Ｎのトーンは、ＮのＰＲＡＣＨ周波数ホッピングパターンを多重化するように構成可能である。それぞれのＰＲＡＣＨホッピングパターンは、１つのＯＦＤＭシンボルグループ間隔中に１つのトーンを使用し、（図４および図５に示されるように）本明細書における実施形態によるホッピングパターンは、同じＯＦＤＭシンボルグループ間隔中に同じトーンを使用する２つのホッピングパターンが確実にないようにする。
【００５３】
いくつかの実施形態によると、図２および図４に示されるホッピングパターンに対する詳細な式が以下に示される。
2019508949.tif 000032
ここで、ｎｓｔａｒｔはＰＲＡＣＨ帯域の開始インデックスを示し、ｎｓｃは（ｎｓｔａｒｔに対する）ＰＲＡＣＨ帯域における対応するトーンインデックスであり、ｎｍｉｃｒｏは固定ホッピングのサイズであり、
2019508949.tif 000033
はランダムアクセスプリアンブル信号の送信帯域幅におけるトーンの数、ｆｈｏｐ（−１）＝０である。疑似ランダムシーケンスｃ（ｋ）の例は、３ＧＰＰ  ＴＳ  ３６．２１１  ｖ１３．０．０における第７．２項によって示されるものとすることができる。とりわけ、疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000034
、およびセル固有ホッピングが所望される場合
2019508949.tif 000035
である。
2019508949.tif 000036
は物理レイヤセル識別子である。
【００５４】
従って、この例によって論証されるように、疑似ランダムシーケンス発生器は必要に応じてセル固有とすることができる。例えば、３６．２１１における第７．２項によって示される疑似ランダムシーケンスｃ（ｋ）は、所望される場合、セルＩＤによって初期化可能である。
【００５５】
ホッピングがセル固有である、このおよび他の実施形態では、疑似ランダムホッピングはセル固有符号分割多重化（ＣＤＭ）の一種とみなされてよい。このＣＤＭによって、近隣セルはＮＢ−ＰＲＡＣＨに対して同じ周波数リソースを使用できる。これはさらにまた、近隣セルの間のＮＢ−ＰＲＡＣＨのＦＤＭと比較して、ＮＢ−ＰＲＡＣＨ容量を大幅に増加させる。具体的には、１８０ｋＨｚの帯域幅および３．７５ｋＨｚのサブキャリア間隔で、４８までのＮＢ−ＰＲＡＣＨプリアンブルがセルにおいて使用可能である。
【００５６】
図３および図５に示されるホッピングパターンに対する詳細な式は下記のように示される。
2019508949.tif 000037
【００５７】
ここで、ｎｓｔａｒｔはＰＲＡＣＨ帯域の開始インデックスを示し、ｎｓｃは（ｎｓｔａｒｔに対する）ＰＲＡＣＨ帯域における対応するトーンインデックスであり、ｎｍｉｃｒｏは固定ホッピングのサイズであり、
2019508949.tif 000038
はランダムアクセスプリアンブル信号の送信帯域幅におけるトーンの数、ｆｈｏｐ（−１）＝０である。疑似ランダムシーケンスｃ（ｋ）の例は、上で詳述されるように、３６．２１１  ｖ１３．０．０における第７．２項によって示されるものとすることができる。そしてまた、疑似ランダムシーケンス発生器は必要に応じてセル固有とすることができる。例えば、３６．２１１における第７．２項によって示される疑似ランダムシーケンスｃ（ｋ）は、所望される場合、セルＩＤによって初期化可能である。
【００５８】
上記が可能なホッピングパターンの２つの例に過ぎないことは留意されたい。固定サイズホッピングおよび追加の多重レベルのホッピング両方を使用するいずれのホッピングパターンも、本明細書におけるある特定の実施形態によって用いられてよい。多重レベルのホッピングは、任意のシンボルグループ（または時間リソース）でホッピングしたサイズがそのホッピングに対して可能な限り規定される複数の異なる周波数距離のうちの１つである任意のホッピングを構成する。多重レベルのホッピングは、例えば、上記の例に示されるように、疑似ランダムホッピングによって実現可能である（がこれに限定されない）。具体的には、疑似ランダムホッピングは、言い換えると、任意のシンボルグループ（または時間リソース）でホッピングしたサイズが（前もって、指定された疑似ランダム式によって判断される）複数の所定のホッピングサイズのうちの１つであってよいホッピングとみなされてよい。固定サイズホッピングは、周波数リソースを十分に利用するために「上方」および「下方」のホッピング両方を含む。固定サイズホッピングは、目標とする到達時間推定範囲をＰＲＡＣＨが満たすことができることを確実にする。（例えば、疑似ランダムホッピングによって実現される）追加の多重レベルのホッピングは、到達時間推定精度を大幅に改善する。
【００５９】
実際、図６は、いくつかの実施形態によるホッピングパターンが、プリアンブル送信が１回に３．７５ｋＨｚの１つのシングルトーンのみ使用する場合でも基地局が非常に精確な到達時間推定精度を得るのに役立ち得ることを示す。図６は、この関連で、このことを、８トーンＰＲＡＣＨ帯域２２、１２トーンＰＲＡＣＨ帯域２４、および１６トーンＰＲＡＣＨ帯域２６を含む、異なる数のトーンを含むＰＲＡＣＨ帯域について示す。
【００６０】
いくつかの実施形態では、それぞれの基地局は、例えば、異なるタイプのユーザ機器に対して１つまたは複数のＰＲＡＣＨ帯域を構成する。それぞれの帯域におけるトーンの数は異なっている可能性がある。例えば、異なるカバレッジクラスのＰＲＡＣＨ送信の周波数分割多重が認められる場合、基地局は異なるカバレッジクラスに対して異なる帯域幅のＰＲＡＣＨ帯域を構成してよい。より大きい帯域はより長いプリアンブルに対して使用されてよい。近隣セルのＰＲＡＣＨ帯域は重複してもしなくてもよい。重複する場合、セル固有疑似ランダムホッピングを使用して、近隣セルにおけるプリアンブルを区別するおよび／またはセル間干渉を軽減することができる。それぞれの帯域は、例えば、開始トーンインデックスｎｓｔａｒｔ、および、ランダムアクセスプリアンブル信号の送信帯域幅におけるトーンの数
2019508949.tif 000039
（または終了トーンインデックス）によって特徴付けられてよい。それぞれの帯域はまた、固定ホッピングｎｍｉｃｒｏのサイズによって特徴付けられてよい。
【００６１】
いずれの場合も、基地局の可能なＮＢ−ＰＲＡＣＨ構成の例証が図７に示される。示されるように、基地局は、Ｘ数のトーンを含む第１のＮＢ−ＰＲＡＣＨ帯域１、Ｙ数のトーンを含む第２のＮＢ−ＰＲＡＣＨ帯域２、およびＺ数のトーンを含む第３のＮＢ−ＰＲＡＣＨ帯域３を構成する。これらの３つの帯域は全て、１８０ｋＨｚの帯域幅の狭帯域キャリア（例えば、１物理リソースブロック）の範囲で構成される。
【００６２】
構成される１つまたは複数のＮＢ−ＰＲＡＣＨ帯域による競合ベースランダムアクセスについて、いくつかの実施形態におけるデバイス１４は、最初に、１つまたは複数のＰＲＡＣＨ帯域を含むことができる構成済みＰＲＡＣＨ周波数リソースプールにおけるトーンをランダムに選択する。デバイス１４は、例えば、構成された１つまたは複数のＰＲＡＣＨ帯域に含まれるトーンの中からシングルトーンをランダムに選択することができる。デバイス１４は次いで、上述されるような周波数ホッピングパターンに従って対応するＰＲＡＣＨ帯域においてランダムアクセスプリアンブル信号１６を送信する。
【００６３】
本明細書におけるホッピングパターンは、一般的であり、かつ任意のサブキャリア間隔、任意のプリアンブル長（すなわち、シンボルグループの数）、任意のサイズの固定ホッピング、およびＰＲＡＣＨ帯域における任意の数のトーンに当てはまる。図８は、８トーンＰＲＡＣＨ帯域および２トーン固定ホッピングによるホッピングパターンの別の例を提供する。ホッピングパターンは図４と同じように生成される。図９は、８トーンＰＲＡＣＨ帯域および２トーン固定ホッピングによるホッピングパターンの別の例を提供する。ホッピングパターンは図５と同じように生成される。
【００６４】
１つまたは複数の実施形態によると、ＰＲＡＣＨ帯域の開始インデックス（ｎｓｔａｒｔ）、ＰＲＡＣＨ帯域におけるトーンの数
2019508949.tif 000040
、および固定ホッピングのサイズ（ｎｍｉｃｒｏ）などのＰＲＡＣＨの構成パラメータの１つまたは複数は、例えば、システム情報ブロック（ＳＩＢ）、マスタ情報ブロック（ＭＩＢ）、または、ＭＩＢおよびＳＩＢの組み合わせを使用して構成情報としてシグナリングされる。これらの構成のいくつかが固定されてよいことで、シグナリングされる必要がないことは留意されたい。
【００６５】
上の説明は周波数ホッピングによる周波数領域における直交リソース割り当てに焦点を当てているが、当業者には理解されるように、他の寸法におけるリソース割り当ても可能であることは留意されたい。例えば、時間領域において、サブフレームの非重複セットを使用して直交ＰＲＡＣＨリソースを規定することができ、シーケンス領域において、直交プリアンブルシーケンスは、それらの時間／周波数リソースが重複する時でも異なるＵＥによって使用可能である。時間領域の面、およびシーケンス領域の面を規定する構成パラメータがまた、ＭＩＢおよび／またはＳＩＢを介して固定されるやり方でまたはブロードキャストで規定されることは理解されたい。本明細書における周波数領域構成は、ＰＲＡＣＨリソース構成を十分に規定するために時間領域およびシーケンス領域のものと共に使用されるものとする。
【００６６】
上記のように、本明細書におけるランダムアクセスの実施形態は、ＬＴＥベースシステムおよび／またはＮＢ−ＩｏＴシステムに適用されてよい。このコンテキストで、既存のＬＴＥランダムアクセス設計に関して、ランダムアクセスは、無線リンクを確立する時の初期アクセス、スケジューリング要求などの複数の目的をサーブする。とりわけ、ランダムアクセスの主要目的は、アップリンク同期を実現することであり、これはＬＴＥにおけるアップリンク直交性を維持するために重要である。ＯＦＤＭＡまたはＳＣ−ＦＤＭＡシステムにおける異なるユーザ機器（ＵＥ）の中で直交性を保持するために、それぞれのＵＥの信号の到達時間は、基地局においてＯＦＤＭＡまたはＳＣ−ＦＤＭＡ信号のサイクリックプレフィックス（ＣＰ）内にある必要がある。
【００６７】
ＬＴＥランダムアクセスは競合ベースまたは無競合のどちらかとすることができる。競合ベースランダムアクセスプロシージャは、図１０に示されるように、４つのステップから成る。第１のステップのみがランダムアクセスのために具体的に設計された物理レイヤ処理に関わり、残りの３つのステップがアップリンクおよびダウンリンクデータ送信において使用される同じ物理レイヤ処理に続くことは留意されたい。無競合ランダムアクセスについて、ＵＥは基地局によって割り当てられた確保済みプリアンブルを使用する。この場合、競合解消は必要ではないため、ステップ１および２のみが必要とされる。
【００６８】
図１０に示されるように、第１のステップにおいて、ランダムアクセスプリアンブル信号１６は、物理ランダムアクセスチャネル（ＰＲＡＣＨ）上でランダムアクセスプリアンブル２８の形式でＵＥによって送られる。このプリアンブル２８はまた、ＰＲＡＣＨプリアンブル、ＰＲＡＣＨプリアンブルシーケンス、またはＰＲＡＣＨ信号と称される場合がある。ともかく、ＵＥは図１１に示されるランダムアクセス時間セグメント中にランダムアクセスプリアンブル２８を送信する。ランダムアクセスプリアンブル２８は、ランダムアクセスセグメント全てを占有せず、ガードタイム３０としての多少の時間を残す。先に論じたように、ＰＡ効率およびカバレッジを最大化するために、できるだけ定包絡線に近いＰＲＡＣＨプリアンブルを有するのが望ましい。また、ＰＲＡＣＨプリアンブルは、精確な到達時間推定が基地局によって行われ得るように設計されるものとする。
【００６９】
本明細書におけるいくつかの実施形態によるＰＲＡＣＨシンボルグループ（例えば、シンボルグループ１８）の基本構造は図１２に示され、図１３に例が挙げられている。これは基本的にシングルトーン（サブキャリア）ＯＦＤＭ信号である。非サイクリックプレフィックス（非ＣＰ）部分が単一のシンボルから成る従来のＯＦＤＭシンボルと違って、ＰＲＡＣＨシンボルグループの非ＣＰ部分は１つまたは複数のシンボルから成ることができる。
【００７０】
ランダムアクセスプリアンブル信号１６におけるシンボルは、異なるシンボルグループにわたっても全て同一とすることができる。この場合、隣接するシンボルグループ間の位相連続性を保証することはより容易であるため、プリアンブル信号のゼロに近いピーク対平均電力比（ＰＡＰＲ）を維持するのに役立つ場合がある。他の実施形態では、これに反して、あるグループにおけるシンボルは同一であるが、シンブルグループにわたって異なっている場合がある。これは、グループ上で符号分割多重（ＣＤＭ）の追加のレイヤを施すとみなされてよい。この場合、隣接するシンボルグループ間の位相連続性を保証することは容易ではないが、該実施形態はさらに、システムレベルの観点から他の送信に対する干渉をランダム化する。
【００７１】
さらに他の実施形態では、あるグループにおけるシンボルは異なっているが、シンボルグループ全体はグループにわたって繰り返される。これは、グループ内のＣＤＭの追加のレイヤを施すと考えられてよい。この場合、隣接するシンボルグループ間の位相連続性を保証することは容易ではないが、限定された意味ではあるが、シンボルがグループ内のみで変化するため、該実施形態はさらに、システムレベルの観点から他の送信に対する干渉をランダム化する。
【００７２】
また他の実施形態では、シンボルは、グループ内でおよびグループにわたっての両方で異なっている可能性がある。これは、ＣＤＭが、グループにおけるシンボルを場合によって異ならせるようにそれぞれのシンボルグループに適用されるように、シンボル上でＣＤＭの追加のレイヤを施すと考えられてよい。この場合、隣接するシンボルグループ間の位相連続性を保証することは容易ではないが、該実施形態は、可能な最大限までシステムレベルの観点から他の送信に対する干渉をランダム化する。
【００７３】
さらなる実施形態では、それぞれのシンボルグループにおける最終シンボルは固定される。サイクリックプレフィックスは最終シンボルの全体の最終部分と同じであるため、この構造によって、隣接するシンボルグループ間の位相連続性を保証することは容易になるため、プリアンブル信号のゼロに近いＰＡＰＲを維持するのに役立つ。（疑似ランダムホッピング、論理トーンインデックス、および／またはセルＩＤ依存シーケンス値によってもたらされるものに加えて）追加の干渉ランダム化が所望される場合、他のシンボルの値は適切に選定されてよい。
【００７４】
グループにおけるシンボルの具体定な値は、全て同一であるか異なっているかにかかわらず、いくつかの実施形態では、セルＩＤ依存および／または論理トーンインデックス依存であってよい。
【００７５】
図１３における例によると、サブキャリア間隔は３．７５ｋＨｚである。しかしながら、本明細書における実施形態は任意のサブキャリア間隔に当てはまる。いくつかの実施形態によると、１つまたは複数のシンボルグループから成るＰＲＡＣＨ信号は時間のばらつきがある。よって、ＯＦＤＭシンボルグループの数は、それぞれが図１２に示されるように、ＰＲＡＣＨプリアンブルを形成するために連結される。すなわち、上述されるようなそれぞれのグループ１８は、図１２および／または図１３に示されるようなものを含んでよい。しかしながら、同じＰＲＡＣＨプリアンブルのシンボルグループ１８の周波数位置は上述されるようにホッピングパターンに従って変わる。
【００７６】
上で暗示されるように、本明細書で使用されるトーンはいくつかの実施形態においてサブキャリアに対応する場合がある。トーンは例えば、ＯＦＤＭサブキャリアまたはＳＣ−ＦＤＭＡサブキャリアに対応してよい。
【００７７】
本明細書におけるいくつかの実施形態ではＮＢ−ＩｏＴに対する特定の応用性が見出されている。例えば、３５ｋｍのセルサイズをサポートするために、固定サイズホッピング距離は１トーンに限定される場合がある。そして、追加のホッピングサイズを使用することによって、到達時間推定精度が改善可能である。例えば、１トーンホッピングに加えて追加の６トーンホッピングが使用されてよい。しかしながら、第２のホッピングの値は到達時間推定精度に影響を及ぼす。例えば、トーンホッピング値２が増加することで、ＣＤＦの中央は改善されるが、末尾はまた上昇する。下記で詳述されるように、最適なホッピングパターンが使用される場合、最終的な問題は解決可能である。
【００７８】
１トーンホッピングに加えて追加の固定サイズホッピングを使用することとは対照的に、固定サイズホッピングに加えて疑似ランダムホッピングを使用することはより有益でありかつ柔軟である場合がある。論理的に、疑似ランダムホッピングは、ホッピングがセル固有である場合、セル固有ＣＤＭのタイプと考えられてよい。ＮＢ−ＰＲＡＣＨに対する固定サイズホッピングに加えて疑似ランダムホッピングを使用することの利点は下記のように要約される。
【００７９】
第１に、疑似ランダムホッピングによって、上昇した末尾の問題点を解決可能であり、より精確な到達時間推定精度を提供する可能性を有する。とりわけ、タイミング推定精度は信号帯域幅に反比例する。しかしながら、トーンホッピング値２が増加することで、ＣＤＦの中央は改善されるが、末尾はまた上昇する。このことは従来の直感を否定するように思われる。しかしながら、さらに検討すると、この現象は第２のレベルにおける固定ホッピング値に起因している。この問題点は、図１４Ａ〜図１４Ｄに示されるように、疑似ランダムホッピングによって解決可能である。
【００８０】
具体的には、２＊Ｐｉ位相回転不確定性によって、２つ以上のトーンによるホッピングは、３５ｋｍのセルサイズによるサイドピークを導入する可能性がある。図１４Ａおよび図１４Ｂに示されるように、第２のレベルのホッピング値が大きいほど、サイドピークは大きくなる。これらのサイドピークによって推定誤差が生じ、かつ、上昇した末尾の誤差につながる。対照的に、図１４Ｃおよび図１４Ｄに示されるように、疑似ランダムホッピングによってこの問題点は解決される。さらに、疑似ランダムホッピング範囲が広いほど、相関ピークは狭くなる（ひいては、潜在的に、推定がより精確になる）。これは、より広い帯域幅の信号がより良いタイミング推定パフォーマンスを可能にすることができる従来の見識に適合する。
【００８１】
第２に、疑似ランダムホッピングは既に、他の目的でＬＴＥに実装されている。本明細書におけるいくつかの実施形態による疑似ランダムホッピングは、ＮＢ−ＩｏＴに対して再利用される。ＮＢ−ＰＲＡＣＨについて、ＬＴＥ  ＰＵＳＣＨタイプ２のホッピングと同様の疑似ランダムホッピング（ＴＳ  ３６．２１１（リリース１２）およびＴＳ  ３６．２１３（リリース１２）を参照）は、固定サイズ（例えば、１トーン）のホッピングに加えて使用可能である。
【００８２】
第３に、疑似ランダムホッピングはセル間干渉を軽減することができる。疑似ランダムホッピングがないと、１つのセルにおけるＮＢ−ＰＲＡＣＨ送信は、近隣セルにおけるＮＢ−ＰＲＡＣＨおよび／またはＮＢ−ＰＵＳＣＨ送信に対する持続する干渉を引き起こす場合がある。持続する干渉は同じセルにも存在する場合があるが、これは、（ｉ）同時の複数のセル間ＮＢ−ＰＲＡＣＨ送信が、例えば、残留キャリア周波数オフセットによって十分に直交しない場合がある、および（ｉｉ）ＮＢ−ＰＵＳＣＨおよびＮＢ−ＰＲＡＣＨが周波数多重化される場合に直交しないからである。
【００８３】
第４に、疑似ランダムホッピングはＮＢ−ＰＲＡＣＨ容量を増加させる場合がある。近隣セルはＮＢ−ＰＲＡＣＨに対する異なる周波数リソースを構成してよい。このアプローチはセル間ＮＢ−ＰＲＡＣＨ干渉を回避するが、これによってＮＢ−ＰＲＡＣＨ容量は低減する場合がある。とりわけ、セルにおいて１２トーン（言い換えると、１２プリアンブル）しかない場合がある。それぞれのセルが無競合ランダムアクセスに対するいくつかのプリアンブルを確保してよいことは留意されたい。また、ＬＴＥタイプのプリアンブルパーティションがＭｓｇ１における情報を指示するために使用されたとしたら、利用可能なプリアンブルの数は、それぞれのパーティショニングされたグループにおいてさらに一層限定されることになる。これらをまとめると、ＮＢ−ＰＲＡＣＨは、そのリソースが慎重に次元化されない場合ＮＢ−ＩｏＴシステムの障害となる場合がある。
【００８４】
先に述べたように、疑似ランダムホッピングはセル固有のＣＤＭのタイプと考えられてよい。このＣＤＭによって、近隣セルがＮＢ−ＰＲＡＣＨに対する同じ周波数リソースを使用することが可能になる。これによって、近隣セルの中のＮＢ−ＰＲＡＣＨのＦＤＭと比較して、ＮＢ−ＰＲＡＣＨ容量が大幅に増加する。具体的には、１８０ｋＨｚの帯域幅および３．７５ｋＨｚのサブキャリア間隔によって、４８までのＮＢ−ＰＲＡＣＨプリアンブルがセルにおいて使用可能である。
【００８５】
第５に、疑似ランダムホッピングは、ホッピング柔軟性を高め、互換性をより促進させる。実際、２つの固定ホッピングサイズによる２レベルのホッピングは、可能なＮＢ−ＰＲＡＣＨリソース構成に何らかの制限を課す場合がある。とりわけ、２レベルのホッピングは常にＮＢ−ＰＲＡＣＨ帯域に１２トーンを有することを要し、これに柔軟性はない。
【００８６】
２つの固定ホッピングサイズによる２レベルのホッピングと対照的に、疑似ランダムホッピングは基本的に、複数のホッピングサイズを使用し、より柔軟である。例えば、セルは異なるＮＢ−ＰＲＡＣＨ帯域幅を構成してよい。１レベルの固定ホッピングに加えて追加の疑似ランダムホッピングによるＮＢ−ＰＲＡＣＨ送信は、帯域幅が増加するように容易にスケーリング可能である。固定サイズの２レベルのホッピングが使用される場合、多くの異なるホッピングサイズは規定される必要がある場合がある。
【００８７】
さらに、周波数ホッピングは、特に複数のＮＢ−ＩｏＴ  ＰＲＢが構成される時、将来的にＮＢ−ＩｏＴ特性を有することになる可能性がある。疑似ランダムホッピングを使用することは、互換性をより促進させる。固定サイズの２レベルのホッピングが使用される場合、より多くのＮＢ−ＩｏＴ  ＰＲＢが利用可能である時、追加のホッピングサイズは将来的に規定される必要があることが考えられる。
【００８８】
いくつかの実施形態では、プリアンブル長は、例えば、高い検出率、低い誤り警報率、および良好なタイミング推定精度を含む満足のいくパフォーマンスを得るために十分なエネルギーを基地局が蓄積するのに役立つほどの長さとする。従って、カバレッジ目標に応じて、プリアンブル長はそれに応じて選定されてよい。複数の長さはこの関連で、シングルトーン周波数ホッピングＰＲＡＣＨがカバレッジクラス全てに使用される場合、規定されてよい。
【００８９】
疑似ランダムホッピングを用いる実施形態において、疑似ランダムホッピング範囲がある程度プリアンブル長に関係していてよいことは留意されたい。とりわけ、プリアンブル長が短いが疑似ランダムホッピング範囲が大きい場合、多くの相関サイドピークが生じる場合がある。このことは図１５Ａ〜図１５Ｆに示されている。実際、図１５Ａ〜図１５Ｃに示されるように、１４４ｄＢのＭＣＬのユーザに対するプリアンブルが短くなると、より大きい疑似ランダムホッピング範囲に対する実質的な相関サイドピークは多くなる。これに反して、図１５Ｄ〜図１５Ｆに示されるように、１６４ｄＢのＭＣＬのユーザに対するプリアンブルが長くなると、同じ疑似ランダムホッピング範囲に対しても、図１５Ａ〜図１５Ｃにおけるものより実質的な相関サイドピークは少なくなる。これは、プリアンブル長が長くなることで、より大きい疑似ランダムホッピング範囲がもたらされ得ることを意味する。それゆえに、いくつかの実施形態では、異なる疑似ランダムホッピング範囲は異なるプリアンブル長に使用される（例えば、広い範囲には長いプリアンブル長、および短い範囲には短いプリアンブル長）。
【００９０】
いくつかの実施形態では、ｅＮＢは、シングルトーン周波数ホッピングＮＢ−ＰＲＡＣＨの以下のパラメータ、「送る時」をＵＥに通知する時間リソース情報、「送るもの」をＵＥに指図するプリアンブルシーケンス情報、および、「送る場所」をＵＥに指図する周波数リソース情報を構成可能としてよい。従って、いくつかの実施形態では、ＮＢ−ＩｏＴ  ＵＥは、シングルトーン周波数ホッピングＮＢ−ＰＲＡＣＨプリアンブルを送るための以下の知識、ＮＢ−ＰＲＡＣＨ可能性のあり得る開始時間、プリアンブルシーケンス値、１つまたは複数のＮＢ−ＰＲＡＣＨ帯域の開始インデックス、ＣＰ長、１グループ当たりのシンボルの数、グループの数、マイクロホッピングサイズ、および／または疑似ランダムホッピング範囲を有することができる。この情報は、システム情報ブロック（ＳＩＢ）、マスタ情報ブロック（ＭＩＢ）、またはＳＩＢおよびＭＩＢの組み合わせを使用してシグナリングされてよい。これらの構成のいくつかは、固定されるため、シグナリングされる必要がない場合がある。
【００９１】
例として、設計構成パラメータのセットは、以下の表１に要約されてよい。
2019508949.tif 000041
【００９２】
しかしながら、いくつかの例におけるＮＢ−ＩｏＴの特定の応用性にかかわらず、この技術が、ｅＭＴＣを含む他のワイヤレスネットワークのみならず、Ｅ−ＵＴＲＡＮの後続処理に適用可能であることは、認識されるであろう。よって、本明細書において、ＬＴＥについての３ＧＰＰ標準からの専門用語を使用して信号に言及することは、他のネットワークにおいて同様の特徴および／または目的を有する信号により全般的に該当すると理解されるべきである。
【００９３】
本明細書における無線ノードは、無線信号上で別のノードと通信可能である任意のタイプのノード（例えば、基地局またはワイヤレス通信デバイス）である。無線ネットワークノード１２は、基地局などのワイヤレス通信ネットワーク内で動作することが可能なおよび／または動作するように構成された任意のタイプの無線ノードである。ネットワークノードは、無線アクセスネットワークまたはワイヤレス通信ネットワークのコアネットワーク内であるかどうかにかかわらず、無線通信ネットワーク内で動作することが可能なおよび／または動作するように構成された任意のタイプのノードである。ワイヤレス通信デバイス１４は、無線信号上で無線ネットワークノードと通信することが可能な任意のタイプの無線ノードである。ワイヤレス通信デバイス１４は従って、マシンツーマシン（Ｍ２Ｍ）デバイス、マシン型通信（ＭＴＣ）デバイス、ＮＢ−ＩｏＴデバイスなどに言及することができる。ワイヤレス通信デバイスはまた、ユーザ機器、無線デバイス、無線通信デバイス、ワイヤレス端末、または別段文脈で指示されない限り、単に端末と称される場合があり、これらの用語のいずれかの使用は、デバイスツーデバイスＵＥまたはデバイス、マシン型デバイスまたはマシンツーマシン通信対応デバイス、ワイヤレス通信デバイスを装備したセンサ、無線機器対応卓上コンピュータ、モバイル端末、スマートフォン、ラップトップ埋め込み装備（ＬＥＥ）、ラップトップ装着機器（ＬＭＥ）、ＵＳＢドングル、ワイヤレス宅内機器（ＣＰＥ）などを含むことが意図される。本明細書における論述では、マシンツーマシン（Ｍ２Ｍ）デバイス、マシン型通信（ＭＴＣ）デバイス、ワイヤレスセンサ、およびセンサという用語も使用されてよい。これらのデバイスはＵＥであってよいことは理解されるべきである。
【００９４】
ＩＯＴシナリオでは、本明細書に説明されるようなワイヤレス通信デバイス１４は、監視または測定を行い、かつ別のデバイスまたはネットワークにこのような監視または測定の結果を送信するマシンまたはデバイスであってよい、またはこれに含まれてよい。このようなマシンの特定の例は、電力計、産業機械、または、例えば、冷蔵庫、テレビ、腕時計などの個人的な装着品といった家庭用もしくは個人向け電化製品である。他のシナリオでは、本明細書に説明されるワイヤレス通信デバイスは、車両に含まれてよく、車両の動作状況または車両と関連付けられた他の機能の監視および／または報告を行うことができる。
【００９５】
さらに、ＮＢ−ＩｏＴコンテキストにおいて、ＮＢ−ＩＯＴデバイスのより低い製造費をサポートするために、送信帯域幅は１８０ＫＨｚのサイズの１つの物理リソースブロック（ＰＲＢ）に低減される。周波数分割複信（ＦＤＤ）およびＴＤＤ両方がサポートされる。ＦＤＤ（すなわち、送信機および受信機が異なるキャリア周波数で動作する）について、ＵＥにおいてサポートされる必要があるのは半二重モードのみである。デバイス（例えば、１つのみの送信／受信チェーン）のより低い複雑性は、通常のカバレッジにおいても少数の繰り返しが必要とされる場合があることを意味する。さらに、ＵＥの複雑性を緩和するために、作業仮説はクロスサブフレームスケジューリングを有するものとすることができる。すなわち、送信は最初、拡張物理ＤＬ制御チャネル（Ｅ−ＰＤＣＣＨ、別称、Ｍ−ＥＰＤＣＣＨ）に基づいてスケジューリングされ、次いで、物理ＤＬ共有チャネル（ＰＤＳＣＨ）に基づく実際のデータの最初の送信は、Ｍ−ＥＰＤＣＣＨの最後の送信後に行われる。
【００９６】
よって、本明細書における１つまたは複数の実施形態は、一般的に、ランダムアクセスのための任意のＯＦＤＭまたはＳＣ−ＦＤＭＡシンボルグループ間隔におけるシングルサブキャリア信号を使用することを含む。異なるＯＦＤＭまたはＳＣ−ＦＤＭＡシンボル間隔において、異なるサブキャリア（周波数）が使用されてよい。これは、「周波数ホッピング」と考えられる可能性がある。ホッピングパターンは、固定サイズホッピングおよび追加の多重レベルのホッピングの両方から成る。固定サイズホッピングは、周波数リソースを十分利用するために「上方」および「下方」ホッピングの両方を含む。固定サイズホッピングは、目標とする到達時間推定範囲をＰＲＡＣＨが満たすことができることを確実にする。多重レベルのホッピングサイズは、例えば、予め定められる異なるサイズのホッピングとみなされ得る疑似ランダムホッピングによって実現可能である。追加の多重レベルのホッピングは、到達時間推定精度を大幅に改善する。異なるＰＲＡＣＨプリアンブル間の直交周波数ホッピングパターンが設計されてよい。
【００９７】
新しいＰＲＡＣＨ信号がほぼ０ｄＢ  ＰＡＰＲを実現するため、ＰＡバックオフに対する必要性を最大限まで低減し、かつＰＡ効率性を最大化する。よって、ＰＲＡＣＨカバレッジおよびバッテリ効率を最大化する。新しいＰＲＡＣＨ信号はＳＣ−ＦＤＭＡおよび直交周波数分割多重アクセス（ＯＦＤＭＡ）と互換性がある。よって、該信号は、既存のＳＣ−ＦＤＭＡまたはＯＦＤＭＡ信号発生器を使用して容易に実装可能である。これによって、開発費および製品化までの時間の両方が低減される。また、ホッピングパターンは、（１）精確な到達時間推定が基地局によって行われることが可能であり、（２）周波数リソースが異なるプリアンブルの直交性を維持しながらＰＲＡＣＨによって十分利用可能であるように、慎重に設計される。精確な到達時間推定は、ＮＢ−ＩｏＴのＰＵＳＣＨにおいて短いＣＰ（ＬＴＥにおいて４．７ｕｓのような）が使用される場合、極めて重要である。
【００９８】
上述されるさまざまな修正および変形を考慮して、本明細書におけるワイヤレス通信デバイス１４（例えば、ユーザ機器）がランダムアクセスプリアンブル信号を送信するために図１６Ａに示される処理１００を行うことができることを、当業者は認識するであろう。この処理１００は、シンボルグループがそれぞれ異なる時間リソースの間シングルトーン上にある複数のシンボルグループを含むランダムアクセスプリアンブル信号を、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、生成することを含む（ブロック１１０）。それぞれのシンボルグループは１つまたは複数のシンボルを含む。処理１００はさらに、ランダムアクセスプリアンブル信号を送信すること（ブロック１２０）を必然的に伴う。
【００９９】
無線ネットワークノード１２がランダムアクセスプリアンブル信号を受信するために図１６Ｂに示される処理２００を行うことができることを、当業者はまた認識するであろう。処理２００は、ワイヤレス通信デバイス（例えば、ユーザ機器）から信号を受信することを含む（ブロック２１０）。処理２００は、それぞれのシンボルグループが異なる時間リソースの間シングルトーン上にある複数のシンボルグループを含むランダムアクセスプリアンブル信号を検出しようと試みて、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、受信された信号を処理することも含む（ブロック２２０）。それぞれのシンボルグループは１つまたは複数のシンボルを含む。
【０１００】
またさらに、無線ネットワークノード１２は、それぞれのシンボルグループが１つまたは複数のシンボルを含む複数のシンボルグループを含むランダムアクセスプリアンブル信号を送信するようにワイヤレス通信デバイス（例えば、ユーザ機器）を構成するための、図１７Ａに示される処理３００を行うことができる。処理３００は、異なる時間リソースの間シングルトーン上にあるシンボルグループのそれぞれをワイヤレス通信デバイスが従って生成する周波数ホッピングパターンのための１つまたは複数のパラメータを指示する構成情報を生成することを含み、周波数ホッピングパターンは、１つまたは複数のシンボルグループでランダムアクセスプリアンブル信号を一定周波数距離でホッピングし、かつ１つまたは複数の他のシンボルグループでランダムアクセスプリアンブル信号を疑似ランダム周波数距離でホッピングする（ブロック３１０）。処理３００は、構成情報をワイヤレス通信デバイスに送信することも含む（ブロック３２０）。
【０１０１】
ワイヤレス通信デバイス１４は、図１７Ｂにおける処理４００を対応して行うことができる。処理４００は、異なる時間リソースの間シングルトーン上にあるシンボルグループのそれぞれをワイヤレス通信デバイスが従って生成する周波数ホッピングパターンのための１つまたは複数のパラメータを指示する構成情報を受信することを含み、周波数ホッピングパターンは、１つまたは複数のシンボルグループでランダムアクセスプリアンブル信号を一定周波数距離でホッピングし、かつ１つまたは複数の他のシンボルグループでランダムアクセスプリアンブル信号を疑似ランダム周波数距離でホッピングする（ブロック４１０）。処理４００は、受信された構成情報に従って、ランダムアクセスプリアンブル信号を生成するようにデバイス１４を構成することも含む（ブロック４２０）。
【０１０２】
さらに他の実施形態では、本明細書におけるユーザ機器１４（または、より一般的にはワイヤレス通信デバイス）は、ランダムアクセスプリアンブル信号を送信するための、図１８Ａに示される処理５００を行うことができる。この処理５００は、シンボルグループがそれぞれ異なる時間リソースの間シングルトーン上にある複数のシンボルグループを含むランダムアクセスプリアンブル信号を、一定周波数距離にわたってランダムアクセスプリアンブル信号をシンボルグループのうちの少なくとも１つから隣接するシンボルグループまでホッピングし、さらに、疑似ランダム周波数距離にわたってランダムアクセスプリアンブル信号をシンボルグループのうちの少なくとも１つから隣接するシンボルグループまでホッピングする周波数ホッピングパターンに従って、生成することを含む（ブロック５１０）。それぞれのシンボルグループは１つまたは複数のシンボルを含む。処理５００はさらに、ランダムアクセスプリアンブル信号を送信することを必然的に伴う（ブロック５２０）。
【０１０３】
他の実施形態において、基地局１２（または、より一般的には、無線ネットワークノード）がランダムアクセスプリアンブル信号を受信するための、図１８Ｂに示される処理６００を行うことができることを、当業者はまた認識するであろう。処理６００は、ユーザ機器から信号を受信することを含む（ブロック６１０）。処理６００は、それぞれのシンボルグループが異なる時間リソースの間シングルトーン上にある複数のシンボルグループを含むランダムアクセスプリアンブル信号を検出しようと試みて、一定周波数距離にわたってランダムアクセスプリアンブル信号をシンボルグループのうちの少なくとも１つから隣接するシンボルグループまでホッピングし、さらに、疑似ランダム周波数距離にわたってランダムアクセスプリアンブル信号をシンボルグループのうちの少なくとも１つから隣接するシンボルグループまでホッピングする周波数ホッピングパターンに従って、受信された信号を処理することも含む（ブロック６２０）。それぞれのシンボルグループは１つまたは複数のシンボルを含む。
【０１０４】
またさらなる実施形態では、基地局１２（または、より一般的には、無線ネットワークノード）は、それぞれのシンボルグループが１つまたは複数のシンボルを含む複数のシンボルグループを含むランダムアクセスプリアンブル信号を送信するようにユーザ機器を構成するための、図１９Ａに示される処理７００を行うことができる。処理７００は、異なる時間リソースの間シングルトーン上にあるシンボルグループのそれぞれをワイヤレス通信デバイスが従って生成する周波数ホッピングパターンのための１つまたは複数のパラメータを指示する構成情報を生成することを含み、周波数ホッピングパターンは、一定周波数距離にわたってランダムアクセスプリアンブル信号をシンボルグループのうちの少なくとも１つから隣接するシンボルグループまでホッピングし、さらに、疑似ランダム周波数距離にわたってランダムアクセスプリアンブル信号をシンボルグループのうちの少なくとも１つから隣接するシンボルグループまでホッピングする（ブロック７１０）。処理７００は、構成情報をユーザ機器に送信することも含む（ブロック７２０）。
【０１０５】
ユーザ機器１４は、さらなる実施形態において図１９Ｂにおける処理８００を対応して行うことができる。処理８００は、異なる時間リソースの間シングルトーン上にあるシンボルグループのそれぞれをユーザ機器１４が従って生成する周波数ホッピングパターンのための１つまたは複数のパラメータを指示する構成情報を受信することを含み、周波数ホッピングパターンは、一定周波数距離にわたってランダムアクセスプリアンブル信号をシンボルグループのうちの少なくとも１つから隣接するシンボルグループまでホッピングし、さらに、疑似ランダム周波数距離にわたってランダムアクセスプリアンブル信号をシンボルグループのうちの少なくとも１つから隣接するシンボルグループまでホッピングする（ブロック８１０）。処理８００は、受信された構成情報に従ってランダムアクセスプリアンブル信号を生成するようにユーザ機器１４を構成することも含む（ブロック８２０）。
【０１０６】
上述されるようなワイヤレス通信デバイス１４（例えば、ユーザ機器）が、任意の機能手段またはユニットを実装することによって本明細書における処理を行うことができることは留意されたい。１つの実施形態では、例えば、ワイヤレス通信デバイス１４は、図１６Ａ、図１７Ａ、図１８Ａ、および／または図１９Ｂに示されるステップを行うように構成された対応する回路または回路構成を含む。回路または回路構成は、この関連で、ある特定の機能処理を行うことに充てられる回路、および／またはメモリと併せた１つまたは複数のマイクロプロセッサを含んでよい。読み出し専用メモリ（ＲＯＭ）、ランダムアクセスメモリ、キャッシュメモリ、フラッシュメモリデバイス、光学記憶デバイスなどの１つまたはいくつかのタイプのメモリを含むことができるメモリを用いる実施形態では、メモリは、１つまたは複数のプロセッサによって実行される時、本明細書に説明される技法を行うプログラムコードを記憶する。
【０１０７】
図２０Ａは、１つまたは複数の実施形態による、ユーザ機器１４（または、より一般的には、ワイヤレス通信デバイス）のさらなる詳細を示す。示されるように、ユーザ機器１４は、処理回路構成９２０および無線回路構成９１０を含む。無線回路構成９１０は１つまたは複数のアンテナ９４０を介して送信するように構成される。処理回路構成９２０は、メモリ９３０に記憶された命令を実行するなどによって、例えば、図１６Ａ、図１７Ｂ、図１８Ａ、および／または図１９Ｂにおける、上述される処理を行うように構成される。処理回路構成９２０はこの関連で、ある特定の機能手段またはユニットを実装してよい。
【０１０８】
図２０Ｂは、他の実施形態によると、例えば、図２０Ａにおける処理回路構成９２０を介して、さまざまな機能手段またはユニットを実装するユーザ機器１４（または、より一般的には、ワイヤレス通信デバイス）を示す。示されるように、例えば、図１６Ａにおける方法を実施するためのこれらの機能手段またはユニットは、例えば、シンボルグループがそれぞれ異なる時間リソースの間シングルトーン上にある複数のシンボルグループを含むランダムアクセスプリアンブル信号を、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、生成するための生成モジュールまたはユニット９５０を含み、それぞれのシンボルグループは１つまたは複数のシンボルを含む。ユーザ機器１４は、ランダムアクセスプリアンブル信号を送信するための送信モジュールまたはユニット９６０も含む。
【０１０９】
ユーザ機器１４のさらなる詳細は、図２０Ｃに関連して示される。図２０Ｃに示されるように、例示のユーザ機器１４は、アンテナ９７０、無線回路構成（例えば、無線フロントエンド回路構成）９７２、処理回路構成９７４を含み、ユーザ機器１４は、メモリ９８２も含むことができる。メモリ９８２は、処理回路構成９７４と別個のものであってよい、または処理回路構成９７４の一体となっている部分であってよい。アンテナ９７０は、１つまたは複数のアンテナまたはアンテナアレイを含んでよく、ワイヤレス信号を送るおよび／または受信するように構成され、無線回路構成（例えば、無線フロントエンド回路構成）９７２に接続される。ある特定の代替的な実施形態では、ユーザ機器１４はアンテナ９７０を含まなくてよく、アンテナ９７０はむしろ、ユーザ機器１４から分離され、かつインターフェースまたはポートを通してユーザ機器１４に接続可能であってよい。
【０１１０】
無線回路構成（例えば、無線フロントエンド回路構成）９７２は、さまざまなフィルタおよび増幅器を含んでよく、アンテナ９７０および処理回路構成９７４に接続され、アンテナ９７０と処理回路構成９７４との間で通信される信号を調整するように構成される。ある特定の代替的な実施形態では、ユーザ機器１４は無線回路構成（例えば、無線フロントエンド回路構成）９７２を含まなくてよく、処理回路構成９７４はむしろ、フロントエンド回路構成９７２なしでアンテナ９７０に接続されてよい。
【０１１１】
処理回路構成９７４は、無線周波数（ＲＦ）送受信回路構成９７６、ベースバンド処理回路構成９７８、およびアプリケーション処理回路構成９８０のうちの１つまたは複数を含んでよい。いくつかの実施形態では、ＲＦ送受信回路構成９７６、ベースバンド処理回路構成９７８、およびアプリケーション処理回路構成９８０は、別個のチップセット上にあってよい。代替的な実施形態では、ベースバンド処理回路構成９７８およびアプリケーション処理回路構成９８０の一部分または全ては１つのチップセットに統合されてよく、ＲＦ送受信回路構成９７６は別個のチップセット上にあってよい。さらなる代替的な実施形態では、ＲＦ送受信回路構成９７６およびベースバンド処理回路構成９７８の一部分または全ては同じチップセット上にあってよく、アプリケーション処理回路構成９８０は別個のチップセット上にあってよい。さらに他の代替的な実施形態では、ＲＦ送受信回路構成９７６、ベースバンド処理回路構成９７８、およびアプリケーション処理回路構成９８０の一部分または全ては、同じチップセットで組み合わせられてよい。処理回路構成９７４は、例えば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含んでよい。
【０１１２】
ユーザ機器１４は電源９８４を含んでよい。電源９８４は、バッテリまたは他の電力供給回路構成、および電力管理回路構成であってよい。電力供給回路構成は外部電源から電力を受信してよい。バッテリ、他の電力供給回路構成、および／または電力管理回路構成は、無線回路構成（例えば、無線フロントエンド回路構成）９７２、処理回路構成９７４、および／またはメモリ９８２に接続される。電源９８４、バッテリ、電力供給回路構成、および／または電力管理回路構成は、処理回路構成９７４を含むユーザ機器１４に、本明細書に説明される機能性を果たすための電力を供給するように構成される。
【０１１３】
また、上述されるような無線ネットワークノード１２が任意の機能手段またはユニットを実装することによって本明細書における処理を行うことができることは留意されたい。１つの実施形態では、例えば、無線ネットワークノード１２は、図１６Ｂ、図１７Ａ、図１８Ｂ、および／または図１９Ａに示されるステップを行うように構成された対応する回路または回路構成を含む。回路または回路構成はこの関連で、ある特定の機能処理を行うことに充てられる回路、および／またはメモリと併せた１つまたは複数のマイクロプロセッサを含んでよい。読み出し専用メモリ（ＲＯＭ）、ランダムアクセスメモリ、キャッシュメモリ、フラッシュメモリデバイス、光学記憶デバイスなどの１つまたはいくつかのタイプのメモリを含むことができるメモリを用いる実施形態では、メモリは、１つまたは複数のプロセッサによって実行される時、本明細書に説明される技法を行うプログラムコードを記憶する。
【０１１４】
図２１Ａは、１つまたは複数の実施形態による、無線ネットワークノード１２（例えば、基地局）のさらなる詳細を示す。示されるように、無線ネットワークノード１２は、処理回路構成１０２０および無線回路構成１０１０を含む。無線回路構成１０１０は１つまたは複数のアンテナ１０４０を介して送信するように構成される。処理回路構成１０２０は、メモリ１０３０に記憶された命令を実行するなどによって、例えば、図１６Ｂ、図１７Ａ、図１８Ｂ、および／または図１９Ａにおける、上述される処理を行うように構成される。処理回路構成１０２０はこの関連で、ある特定の機能手段またはユニットを実装してよい。
【０１１５】
図２１Ｂは、他の実施形態によると、例えば、図２１Ａにおける処理回路構成１０２０を介して、さまざまな機能手段またはユニットを実装する無線ネットワークノード１２（例えば、基地局）を示す。例えば、図１６Ｂにおける方法を実施するためのこれらの機能手段またはユニットは、例えば、ユーザ機器から信号を受信するための受信モジュールまたはユニット１０５０を含む。さらに、複数のシンボルグループを含み、シンボルグループのそれぞれが異なる時間リソースの間シングルトーン上にあるランダムアクセスプリアンブル信号を検出しようと試みて、１つまたは複数のシンボルグループでランダムアクセスプリアンブル信号を一定周波数距離でホッピングし、かつ、１つまたは複数の他のシンボルグループでランダムアクセスプリアンブル信号を疑似ランダム周波数距離でホッピングする周波数ホッピングパターンに従って、受信された信号を処理するための処理モジュールまたはユニット１０６０が含まれ、それぞれのシンボルグループは１つまたは複数のシンボルを含む。
【０１１６】
無線ネットワークノード１２のさらなる詳細は、図２１Ｃに関連して示される。図２１Ｃに示されるように、例示の無線ネットワークノード１２は、アンテナ１０７０、無線回路構成（例えば、無線フロントエンド回路構成）１０７２、処理回路構成１０７４を含み、無線ネットワークノード１２はメモリ１０８２も含むことができる。メモリ１０８２は、処理回路構成１０７４と別個のものであってよい、または処理回路構成１０７４の一体となっている部分であってよい。アンテナ１０７０は、１つまたは複数のアンテナまたはアンテナアレイを含んでよく、ワイヤレス信号を送るおよび／または受信するように構成され、無線回路構成（例えば、無線フロントエンド回路構成）１０７２に接続される。ある特定の代替的な実施形態では、無線ネットワークノード１２はアンテナ１０７０を含まなくてよく、アンテナ１０７０はむしろ、無線ネットワークノード１２から分離され、かつインターフェースまたはポートを通して無線ネットワークノード１２に接続可能であってよい。
【０１１７】
無線回路構成（例えば、無線フロントエンド回路構成）１０７２は、さまざまなフィルタおよび増幅器を含んでよく、アンテナ１０７０および処理回路構成１０７４に接続され、アンテナ１０７０と処理回路構成１０７４との間で通信される信号を調整するように構成される。ある特定の代替的な実施形態では、無線ネットワークノード１２は無線回路構成（例えば、無線フロントエンド回路構成）１０７２を含まなくてよく、処理回路構成１０７４はむしろ、フロントエンド回路構成１０７２なしでアンテナ１０７０に接続されてよい。
【０１１８】
処理回路構成１０７４は、無線周波数（ＲＦ）送受信回路構成１０７６、ベースバンド処理回路構成１０７８、およびアプリケーション処理回路構成１０８０のうちの１つまたは複数を含んでよい。いくつかの実施形態では、ＲＦ送受信回路構成１０７６、ベースバンド処理回路構成１０７８、およびアプリケーション処理回路構成１０８０は、別個のチップセット上にあってよい。代替的な実施形態では、ベースバンド処理回路構成１０７８およびアプリケーション処理回路構成１０８０の一部分または全ては１つのチップセットに統合されてよく、ＲＦ送受信回路構成１０７６は別個のチップセット上にあってよい。さらなる代替的な実施形態では、ＲＦ送受信回路構成１０７６およびベースバンド処理回路構成１０７８の一部分または全ては同じチップセット上にあってよく、アプリケーション処理回路構成１０８０は別個のチップセット上にあってよい。さらに他の代替的な実施形態では、ＲＦ送受信回路構成１０７６、ベースバンド処理回路構成１０７８、およびアプリケーション処理回路構成１０８０の一部分または全ては、同じチップセットで組み合わせられてよい。処理回路構成１０７４は、例えば、１つまたは複数の中央処理装置（ＣＰＵ）、１つまたは複数のマイクロプロセッサ、１つまたは複数の特定用途向け集積回路（ＡＳＩＣ）、および／または１つまたは複数のフィールドプログラマブルゲートアレイ（ＦＰＧＡ）を含んでよい。
【０１１９】
無線ネットワークノード１２は電源１０８４を含んでよい。電源１０８４は、バッテリまたは他の電力供給回路構成、および電力管理回路構成であってよい。電力供給回路構成は外部電源から電力を受信してよい。バッテリ、他の電力供給回路構成、および／または電力管理回路構成は、無線回路構成（例えば、無線フロントエンド回路構成）１０７２、処理回路構成１０７４、および／またはメモリ１０８２に接続される。電源１０８４、バッテリ、電力供給回路構成、および／または電力管理回路構成は、処理回路構成１０７４を含む無線ネットワークノード１２に、本明細書に説明される機能性を果たすための電力を供給するように構成される。
【０１２０】
図１６Ａ〜図１９Ｂの方法を行うための、代替的なモジュール、ユニット、または他の手段がユーザ機器１４および／または無線ネットワークノード１２に含まれてよいことを、当業者は認識するであろう。
【０１２１】
図２２Ａは、１つまたは複数の実施形態によるネットワークノード１１００Ａ（例えば、基地局またはコアネットワークノード）のさらなる詳細を示す。示されるように、ネットワークノード１１００Ａは処理回路構成１１２０および通信回路構成１１１０を含む。通信回路構成１１００は、例えば、通信回路構成１１１０が無線回路構成を含む実施形態において、１つまたは複数のアンテナ１４０を介して送信するように構成されてよい。処理回路構成１１２０は、メモリ１１３０に記憶された命令を実行するなどによって、例えば、図１７Ａおよび／または図１９Ａにおける、上述される処理を行うように構成される。処理回路構成１１２０はこの関連で、ある特定の機能手段またはユニットを実装してよい。
【０１２２】
図２２Ｂは、他の実施形態によると、例えば、図２２Ａにおける処理回路構成１１２０を介して、さまざまな機能手段またはユニットを実装するネットワークノード１１００Ｂを示す。例えば、図１７Ａにおける方法を実施するためのこれらの機能手段またはユニットは、例えば、異なる時間リソースの間シングルトーン上にあるシンボルグループのそれぞれをユーザ機器１４が従って生成する周波数ホッピングパターンのための１つまたは複数のパラメータを指示する構成情報を生成するための生成モジュールまたはユニット１１５０を含み、周波数ホッピングパターンは、１つまたは複数の他のシンボルグループでランダムアクセスプリアンブル信号を疑似ランダム周波数距離でホッピングする。構成情報をユーザ機器１４に送信するための送信モジュールまたはユニット１１６０も含まれる。
【０１２３】
本明細書における実施形態が対応するコンピュータプログラムをさらに含むことを、当業者はまた認識するであろう。
【０１２４】
コンピュータプログラムは、ノードの少なくとも１つのプロセッサ上で実行される時、ノードに上述される各処理のいずれかを行わせる命令を含む。コンピュータプログラムはこの関連で、上述される手段またはユニットに対応する１つまたは複数のコードモジュールを含んでよい。
【０１２５】
実施形態は、コンピュータプログラムなどを含有するキャリアをさらに含む。このキャリアは、電子信号、光信号、無線信号、またはコンピュータ可読記憶媒体のうちの１つを含んでよい。
【０１２６】
この関連で、本明細書における実施形態は、非一時的なコンピュータ可読（記憶または記録）媒体上に記憶され、かつ（送信または受信）無線ノードのプロセッサによって実行される時、無線ノードに上述されるように行わせる命令を含むコンピュータプログラム製品も含む。
【０１２７】
実施形態は、コンピュータプログラム製品がコンピューティングデバイスによって実行される時、本明細書における実施形態のいずれかのステップを行うためのプログラムコード部を含むコンピュータプログラム製品をさらに含む。このコンピュータプログラム製品はコンピュータ可読記録媒体上に記憶されてよい。
【０１２８】
本明細書におけるまたさらなる実施形態は、以下に挙げられた実施形態を含む。
【０１２９】
図２３Ａに示されるように、第１に挙げられる実施形態は、ランダムアクセスプリアンブル信号を送信するためにワイヤレス通信システムにおいてワイヤレス通信デバイスによって実行される方法１２００であって、シンボルグループがそれぞれ異なる時間リソースの間シングルトーン上にある複数のシンボルグループを含むランダムアクセスプリアンブル信号を周波数ホッピングパターンに従って生成することであって、周波数ホッピングパターンは、１つまたは複数のシンボルグループでシングルトーンを一定周波数距離でホッピングし、かつ、１つまたは複数の他のシンボルグループでシングルトーンを複数の異なる可能な周波数距離のうちの１つ（例えば、疑似ランダム周波数距離）でホッピングし、それぞれのシンボルグループは１つまたは複数のシンボルを含む、生成すること（ブロック１２１０）と、ランダムアクセスプリアンブル信号を送信すること（ブロック１２２０）と、を含む、方法を含む。
【０１３０】
第２に挙げられる実施形態は、複数のシンボルグループのうちの最初の１つを生成するためのシングルトーンをランダムに選択することと、周波数ホッピングパターンに従って複数のシンボルグループの後続のものを生成するためのシングルトーンをホッピングすることを選択することとをさらに含む、第１に挙げられる実施形態の方法を含む。
【０１３１】
図２３Ｂに示されるように、第３に挙げられる実施形態は、ランダムアクセスプリアンブル信号を受信するためにワイヤレス通信システムにおいて無線ネットワークノードによって実行される方法１３００であって、ワイヤレス通信デバイスから信号を受信すること（ブロック１３１０）と、複数のシンボルグループを含み、それぞれの該シンボルグループが異なる時間リソースの間シングルトーン上にあるランダムアクセスプリアンブル信号を検出しようと試みて、周波数ホッピングパターンに従って受信された信号を処理することであって、周波数ホッピングパターンは、１つまたは複数のシンボルグループでシングルトーンを一定周波数距離でホッピングし、かつ、１つまたは複数の他のシンボルグループでシングルトーンを複数の異なる可能な周波数距離のうちの１つ（例えば、疑似ランダム周波数距離）でホッピングし、それぞれのシンボルグループは１つまたは複数のシンボルを含む、処理すること（ブロック１３２０）と、を含む、方法を含む。
【０１３２】
第４に挙げられる実施形態は、１つまたは複数の他のワイヤレス通信デバイスから１つまたは複数の他の信号を受信することと、異なる周波数ホッピングパターンに従って、ランダムアクセスプリアンブル信号によって周波数が多重化された１つまたは複数の他のランダムアクセスプリアンブル信号を検出しようと試みて１つまたは複数の他の信号を処理することとをさらに含む、第３に挙げられる実施形態の方法を含む。
【０１３３】
図２４Ａに示されるように、第５に挙げられる実施形態は、それぞれのシンボルグループが１つまたは複数のシンボルを含む複数のシンボルグループを含むランダムアクセスプリアンブル信号を送信するようにワイヤレス通信デバイスを構成するためにワイヤレス通信システムにおいてネットワークノードによって実行される方法１４００であって、異なる時間リソースの間シングルトーン上にあるシンボルグループのそれぞれをワイヤレス通信デバイスが従って生成する周波数ホッピングパターンのための１つまたは複数のパラメータを指示する構成情報を生成することであって、周波数ホッピングパターンは、１つまたは複数のシンボルグループでシングルトーンを一定周波数距離でホッピングし、かつ１つまたは複数の他のシンボルグループでシングルトーンを複数の異なる可能な周波数距離のうちの１つ（例えば、疑似ランダム周波数距離）でホッピングする、生成すること（ブロック１４１０）と、構成情報をワイヤレス通信デバイスに送信すること（ブロック１４２０）と、を含む、方法を含む。
【０１３４】
第６に挙げられる実施形態は、異なるタイプのワイヤレス通信デバイスに対するランダムアクセスプリアンブル信号が送信されることになる複数の異なる周波数帯域を構成することであって、異なる周波数帯域は異なる数のトーンを有する、構成することをさらに含む、第５に挙げられる実施形態の方法を含む。
【０１３５】
第７に挙げられる実施形態は、構成情報が、どの帯域においてワイヤレス通信デバイスはランダムアクセスプリアンブル信号を送信するべきであるかを指示する少なくとも１つのパラメータ、および／または該帯域におけるトーンの数を指示する、第５および第６に挙げられる実施形態のいずれかの方法を含む。
【０１３６】
第８に挙げられる実施形態は、一定周波数距離が、目標とされるセルサイズおよび／または目標とされる到達時間推定範囲に関連付けられた周波数距離閾値以下であり、複数の異なる可能な周波数距離のうちの少なくとも１つが、この周波数距離閾値を上回る、第１〜第７に挙げられる実施形態のいずれかの方法を含む。
【０１３７】
第９に挙げられる実施形態は、周波数距離閾値が１つのトーンが及ぶ周波数距離である、第８に挙げられる実施形態の方法を含む。
【０１３８】
第１０に挙げられる実施形態は、周波数距離閾値が２つのトーンが及ぶ周波数距離である、第８に挙げられる実施形態の方法を含む。
【０１３９】
第１１に挙げられる実施形態は、複数の異なる可能な周波数距離が疑似ランダムに生成された周波数距離を含む、第１〜第１０に挙げられる実施形態のいずれかの方法を含む。
【０１４０】
第１２に挙げられる実施形態は、上記の１つまたは複数の他のシンボルグループのそれぞれでホッピングする周波数距離が、複数の異なる可能な周波数距離の中から疑似ランダムに選択される、第１〜第１１に挙げられる実施形態のいずれかの方法を含む。
【０１４１】
第１３に挙げられる実施形態は、周波数ホッピングパターンが、１つまたは複数のシンボルグループの第１のセットのそれぞれのシンボルグループにおいてシングルトーンを一定周波数距離でホッピングし、かつ第１のセットとは異なる１つまたは複数のシンボルグループの第２のセットのそれぞれのシンボルグループにおいてシングルトーンを複数の異なる可能な周波数距離のうちの１つでホッピングする、第１〜第１２に挙げられる実施形態のいずれかの方法を含む。
【０１４２】
第１４に挙げられる実施形態は、周波数ホッピングパターンが、一定距離ホッピングパターンおよびマルチ距離ホッピングパターンの組み合わせを含み、一定距離ホッピングパターンは、１つまたは複数のシンボルグループの第１のセットのそれぞれのシンボルグループにおいてシングルトーンを一定周波数距離でホッピングし、マルチ距離ホッピングパターンは、第１のセットとは異なる１つまたは複数のシンボルグループの第２のセットのそれぞれのシンボルグループにおいてシングルトーンを複数の異なる可能な周波数距離のうちの１つでホッピングする、第１〜第１３に挙げられる実施形態のいずれかの方法を含む。
【０１４３】
第１５に挙げられる実施形態は、マルチ距離ホッピングパターンが疑似ランダムホッピングパターンである、第１４に挙げられる実施形態の方法を含む。
【０１４４】
第１６に挙げられる実施形態は、第１のセットおよび第２のセットにおけるシンボルグループが、時間的にインターレース方式でかつ非重複であり、第１のセットおよび第２のセットの両方は全ての他のシンボルグループを含む、第１３〜第１５に挙げられる実施形態のいずれかの方法を含む。
【０１４５】
第１７に挙げられる実施形態は、第２のセットにおけるシンボルグループでホッピングした周波数距離が、シングルトーンが及ぶ周波数距離の
2019508949.tif 000042
倍数を含む候補周波数距離から選択され、式中、
2019508949.tif 000043
は、ランダムアクセスプリアンブル信号の送信帯域幅におけるトーンの数である、第１３〜第１６に挙げられる実施形態のいずれかの方法を含む。
【０１４６】
第１８に挙げられる実施形態は、第２のセットにおけるシンボルグループでホッピングした周波数距離が、シングルトーンが及ぶ周波数距離の
2019508949.tif 000044
倍数を含む候補周波数距離から選択され、式中、
2019508949.tif 000045
はランダムアクセスプリアンブル信号の送信帯域幅におけるトーンの数であり、
2019508949.tif 000046
は任意のサブバンドにおけるトーンの数である、第１３〜第１６に挙げられる実施形態のいずれかの方法を含む。
【０１４７】
第１９に挙げられる実施形態は、一定距離ホッピングパターンが、シンボルグループの周波数ロケーションに依存する方向にシンボルグループでシングルトーンを一定周波数距離でホッピングする、第１〜第１８に挙げられる実施形態のいずれかの方法を含む。
【０１４８】
第２０に挙げられる実施形態は、一定距離ホッピングパターンが、同じ方向にそれぞれのシンボルグループでシングルトーンを一定周波数距離でホッピングする、第１〜第１８に挙げられる実施形態のいずれかの方法を含む。
【０１４９】
第２１に挙げられる実施形態は、周波数ホッピングパターンが、シングルトーンをランダムアクセスプリアンブル信号の送信帯域幅にわたってホッピングすることで、複数のシンボルグループが送信帯域幅に及ぶようにする、第１〜第２０に挙げられる実施形態のいずれかの方法を含む。
【０１５０】
第２２に挙げられる実施形態は、時間リソースが直交周波数分割多重シンボルグループ間隔を含む、第１〜第２１に挙げられる実施形態のいずれかの方法を含む。
【０１５１】
第２３に挙げられる実施形態は、トーンが直交周波数分割多重サブキャリアである、第１〜第２２に挙げられる実施形態のいずれかの方法を含む。
【０１５２】
第２４に挙げられる実施形態は、ワイヤレス通信デバイスが狭帯域のモノのインターネット（ＮＢ−ＩｏＴ）デバイスである、第１〜第２３に挙げられる実施形態のいずれかの方法を含む。
【０１５３】
第２５に挙げられる実施形態は、ランダムアクセスプリアンブル信号が、狭帯域物理ランダムアクセスチャネル（ＰＲＡＣＨ）上で送信される、第１〜第２４に挙げられる実施形態のいずれかの方法を含む。
【０１５４】
第２６に挙げられる実施形態は、ランダムアクセスプリアンブル信号を送信するためにワイヤレス通信システムにおいてワイヤレス通信デバイスを含み、ワイヤレス通信デバイスは、シンボルグループがそれぞれ異なる時間リソースの間シングルトーン上にある複数のシンボルグループを含むランダムアクセスプリアンブル信号を、１つまたは複数のシンボルグループでシングルトーンを一定周波数距離でホッピングし、かつ、１つまたは複数の他のシンボルグループでシングルトーンを複数の異なる可能な周波数距離のうちの１つでホッピングする周波数ホッピングパターンに従って生成することであって、それぞれのシンボルグループは１つまたは複数のシンボルを含む、生成することと、ランダムアクセスプリアンブル信号を送信することと、を行うように構成される。
【０１５５】
第２７に挙げられる実施形態は、第２、および第８〜第２５に挙げられる実施形態のいずれかの方法を行うように構成される、第２６に挙げられる実施形態のワイヤレス通信デバイスを含む。
【０１５６】
第２８に挙げられる実施形態は、ランダムアクセスプリアンブル信号を送信するためにワイヤレス通信システムにおいてワイヤレス通信デバイスを含み、ワイヤレス通信デバイスは、シンボルグループがそれぞれ異なる時間リソースの間シングルトーン上にある複数のシンボルグループを含むランダムアクセスプリアンブル信号を、１つまたは複数のシンボルグループでシングルトーンを一定周波数距離でホッピングし、かつ、１つまたは複数の他のシンボルグループでシングルトーンを複数の異なる可能な周波数距離のうちの１つでホッピングする周波数ホッピングパターンに従って生成するための生成モジュールであって、それぞれのシンボルグループは１つまたは複数のシンボルを含む、生成モジュールと、ランダムアクセスプリアンブル信号を送信するための送信モジュールと、を含む。
【０１５７】
第２９に挙げられる実施形態は、ランダムアクセスプリアンブル信号を受信するためにワイヤレス通信システムにおいて無線ネットワークノードを含み、無線ネットワークノードは、ワイヤレス通信デバイスから信号を受信することと、複数のシンボルグループを含み、それぞれの該シンボルグループが異なる時間リソースの間シングルトーン上にあるランダムアクセスプリアンブル信号を検出しようと試みて、周波数ホッピングパターンに従って受信された信号を処理することであって、周波数ホッピングパターンは、１つまたは複数のシンボルグループでシングルトーンを一定周波数距離でホッピングし、かつ、１つまたは複数の他のシンボルグループでシングルトーンを複数の異なる可能な周波数距離のうちの１つでホッピングし、それぞれのシンボルグループは１つまたは複数のシンボルを含む、処理することと、を行うように構成される。
【０１５８】
第２９に挙げられる実施形態は、第４、および第８〜第２５に挙げられる実施形態のいずれかの方法を行うように構成される、第２９に挙げられる実施形態の無線ネットワークノードを含む。
【０１５９】
第３０に挙げられる実施形態は、ランダムアクセスプリアンブル信号を受信するためにワイヤレス通信システムにおいて無線ネットワークノードを含み、無線ネットワークノードは、ワイヤレス通信デバイスから信号を受信するための受信モジュールと、複数のシンボルグループを含み、それぞれの該シンボルグループが異なる時間リソースの間シングルトーン上にあるランダムアクセスプリアンブル信号を検出しようと試みて、周波数ホッピングパターンに従って受信された信号を処理するための処理モジュールであって、周波数ホッピングパターンは、１つまたは複数のシンボルグループでシングルトーンを一定周波数距離でホッピングし、かつ、１つまたは複数の他のシンボルグループでシングルトーンを複数の異なる可能な周波数距離のうちの１つでホッピングし、それぞれのシンボルグループは１つまたは複数のシンボルを含む、処理モジュールと、を含む。
【０１６０】
第３２に挙げられる実施形態は、それぞれのシンボルグループが１つまたは複数のシンボルを含む複数のシンボルグループを含むランダムアクセスプリアンブル信号を送信するようにワイヤレス通信デバイスを構成するためにワイヤレス通信システムにおいてネットワークノードを含み、ネットワークノードは、異なる時間リソースの間シングルトーン上にあるシンボルグループのそれぞれをワイヤレス通信デバイスが従って生成する周波数ホッピングパターンのための１つまたは複数のパラメータを指示する構成情報を生成することであって、周波数ホッピングパターンは、１つまたは複数のシンボルグループでシングルトーンを一定周波数距離でホッピングし、かつ１つまたは複数の他のシンボルグループでシングルトーンを複数の異なる可能な周波数距離のうちの１つでホッピングする、生成することと、構成情報をワイヤレス通信デバイスに送信することと、を行うように構成される。
【０１６１】
第３３に挙げられる実施形態は、第６〜第２５に挙げられる実施形態のいずれかの方法を行うように構成される、第３２に挙げられる実施形態のネットワークノードを含む。
【０１６２】
第３４に挙げられる実施形態は、それぞれのシンボルグループが１つまたは複数のシンボルを含む複数のシンボルグループを含むランダムアクセスプリアンブル信号を送信するようにワイヤレス通信デバイスを構成するためにワイヤレス通信システムにおいてネットワークノードを含み、ネットワークノードは、異なる時間リソースの間シングルトーン上にあるシンボルグループのそれぞれをワイヤレス通信デバイスが従って生成する周波数ホッピングパターンのための１つまたは複数のパラメータを指示する構成情報を生成するための生成モジュールであって、周波数ホッピングパターンは、１つまたは複数のシンボルグループでシングルトーンを一定周波数距離でホッピングし、かつ１つまたは複数の他のシンボルグループでシングルトーンを複数の異なる可能な周波数距離のうちの１つでホッピングする、生成モジュールと、構成情報をワイヤレス通信デバイスに送信するための送信モジュールと、を含む。
【０１６３】
第３５に挙げられる実施形態は、ノードの少なくとも１つのプロセッサによって実行される時、ノードに第１〜第２５に挙げられる実施形態のいずれかの方法を行わせる命令を含むコンピュータプログラムを含む。
【０１６４】
第３６に挙げられる実施形態は、第３５に挙げられる実施形態のコンピュータプログラムを含有するキャリアを含み、キャリアは、電子信号、光信号、無線信号、またはコンピュータ可読記憶媒体のうちの１つである。
【０１６５】
図２４Ｂに示されるように、別の実施形態は、それぞれのシンボルグループが１つまたは複数のシンボルを含む複数のシンボルグループを含むランダムアクセスプリアンブル信号を送信するようにワイヤレス通信デバイスを構成するためにワイヤレス通信システムにおいてワイヤレス通信デバイスによって実行される方法１５００であって、異なる時間リソースの間シングルトーン上にあるシンボルグループのそれぞれをワイヤレス通信デバイスが従って生成する周波数ホッピングパターンのための１つまたは複数のパラメータを指示する構成情報を受信することであって、周波数ホッピングパターンは、１つまたは複数のシンボルグループでシングルトーンを一定周波数距離でホッピングし、かつ１つまたは複数の他のシンボルグループでシングルトーンを複数の異なる可能な周波数距離のうちの１つ（例えば、疑似ランダム周波数距離）でホッピングする、受信すること（ブロック１５１０）と、受信された構成情報に従って、ランダムアクセス信号を生成するようにワイヤレス通信デバイスを構成すること（ブロック１５２０）と、を含む、方法を含む。
【０１６６】
本発明の本質的な特徴から逸脱することなく、本発明が本明細書に具体的に示されるもの以外の方法で行われてよいことを、当業者は認識するであろう。よって、本実施形態はあらゆる点において例証とみなされ、制限されるものではない。
【図１】
2019508949.tif 000087
【図２】
2019508949.tif 000088
【図３】
2019508949.tif 000089
【図４】
2019508949.tif 000090
【図５】
2019508949.tif 000091
【図６】
2019508949.tif 000092
【図７】
2019508949.tif 000093
【図８】
2019508949.tif 000094
【図９】
2019508949.tif 000095
【図１０】
2019508949.tif 000096
【図１１】
2019508949.tif 000097
【図１２】
2019508949.tif 000098
【図１３】
2019508949.tif 000099
【図１４Ａ】
2019508949.tif 000100
【図１４Ｂ】
2019508949.tif 000101
【図１４Ｃ】
2019508949.tif 000102
【図１４Ｄ】
2019508949.tif 000103
【図１５Ａ】
2019508949.tif 000104
【図１５Ｂ】
2019508949.tif 000105
【図１５Ｃ】
2019508949.tif 000106
【図１５Ｄ】
2019508949.tif 000107
【図１５Ｅ】
2019508949.tif 000108
【図１５Ｆ】
2019508949.tif 000109
【図１６Ａ】
2019508949.tif 000110
【図１６Ｂ】
2019508949.tif 000111
【図１７Ａ】
2019508949.tif 000112
【図１７Ｂ】
2019508949.tif 000113
【図１８Ａ】
2019508949.tif 000114
【図１８Ｂ】
2019508949.tif 000115
【図１９Ａ】
2019508949.tif 000116
【図１９Ｂ】
2019508949.tif 000117
【図２０Ａ】
2019508949.tif 000118
【図２０Ｂ】
2019508949.tif 000119
【図２０Ｃ】
2019508949.tif 000120
【図２１Ａ】
2019508949.tif 000121
【図２１Ｂ】
2019508949.tif 000122
【図２１Ｃ】
2019508949.tif 000123
【図２２Ａ】
2019508949.tif 000124
【図２２Ｂ】
2019508949.tif 000125
【図２３Ａ】
2019508949.tif 000126
【図２３Ｂ】
2019508949.tif 000127
【図２４Ａ】
2019508949.tif 000128
【図２４Ｂ】
2019508949.tif 000129
【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
ワイヤレス通信システム（１０）において使用するために構成されたユーザ機器（１４）によって実行される方法であって、
シンボルグループ（１８）がそれぞれ異なる時間リソースの間シングルトーン上にある複数のシンボルグループ（１８）を含むランダムアクセスプリアンブル信号（１６）を周波数ホッピングパターンに従って生成すること（１１０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、生成することと、
前記ランダムアクセスプリアンブル信号（１６）を送信すること（１２０）と、を含む、方法。
【請求項２】
前記複数のシンボルグループ（１８）のうちの最初の１つを送信するためのシングルトーンをランダムに選択することと、前記周波数ホッピングパターンに従って前記複数のシンボルグループ（１８）の後続のものをそれぞれ送信するためのシングルトーンを選択することと、をさらに含む、請求項１に記載の方法。
【請求項３】
ワイヤレス通信システム（１０）において使用するために構成された無線ネットワークノード（１２）によって実行される方法であって、
ユーザ機器（１４）から信号を受信すること（２１０）と、
受信された前記信号について、それぞれのシンボルグループ（１８）が異なる時間リソースの間シングルトーン上にある複数のシンボルグループ（１８）を含むランダムアクセスプリアンブル信号（１６）を、周波数ホッピングパターンに従って検出するための試行を処理すること（２２０）であって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を含む、方法。
【請求項４】
１つまたは複数の他のユーザ機器から１つまたは複数の他の信号を受信することと、
前記１つまたは複数の他の信号について、前記ランダムアクセスプリアンブル信号（１６）と、で多重化された１つまたは複数の他のランダムアクセスプリアンブル信号を、異なる周波数ホッピングパターンに従って検出するための試行を処理することと、をさらに含む、請求項３に記載の方法。
【請求項５】
前記疑似ランダム周波数距離は、
2019508949.tif 000130
の関数であり、式中、
2019508949.tif 000131
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000132
はトーンの数であり、この範囲内で、前記ランダムアクセスプリアンブル信号（１６）に対するホッピングは規定され、ｃ（ｋ）は疑似ランダムシーケンスである、請求項１から４のいずれか一項に記載の方法。
【請求項６】
前記疑似ランダム周波数距離は、
2019508949.tif 000133
の関数であり、式中、
2019508949.tif 000134
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項１から４のいずれか一項に記載の方法。
【請求項７】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000135
、
2019508949.tif 000136
であり、
2019508949.tif 000137
は物理レイヤセル識別子である、請求項５または６に記載の方法。
【請求項８】
前記疑似ランダム周波数距離はセル識別子の関数である、請求項１から７のいずれか一項に記載の方法。
【請求項９】
前記一定周波数距離はシングルトーンの周波数距離を含む、請求項１から８のいずれか一項に記載の方法。
【請求項１０】
前記ランダムアクセスプリアンブル信号（１６）におけるそれぞれのシンボルグループ（１８）はサイクリックプレフィクスおよび２つ以上のシンボルを含む、請求項１から９のいずれか一項に記載の方法。
【請求項１１】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項１から１０のいずれか一項に記載の方法。
【請求項１２】
ランダムアクセスプリアンブル信号（１６）を送信するためにワイヤレス通信システム（１０）において使用するためのユーザ機器（１４）であって、
処理回路構成（９２０）および無線回路構成（９１０）を含み、これらによって、
それぞれのシンボルグループ（１８）が異なる時間リソースの間シングルトーン上にある複数のシンボルグループ（１８）を含むランダムアクセスプリアンブル信号（１６）を生成することであって、前記ランダムアクセスプリアンブル信号は、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングする周波数ホッピングパターンに従い、それぞれのシンボルグループ（１８）は１つまたは複数のシンボルを含む、生成することと、
前記ランダムアクセスプリアンブル信号（１６）を送信することと、を行うように構成される、ユーザ機器（１４）。
【請求項１３】
前記複数のシンボルグループ（１８）のうちの最初の１つを送信するためのシングルトーンをランダムに選択するように、および、前記周波数ホッピングパターンに従って前記複数のシンボルグループ（１８）の後続のものをそれぞれ送信するための前記シングルトーンを選択するように構成される、請求項１２に記載のユーザ機器（１４）。
【請求項１４】
前記疑似ランダム周波数距離は、
2019508949.tif 000138
の関数であり、式中、
2019508949.tif 000139
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000140
はトーンの数であり、この範囲内で、前記ランダムアクセスプリアンブル信号（１６）に対するホッピングは規定され、ｃ（ｋ）は疑似ランダムシーケンスである、請求項１２または１３に記載のユーザ機器（１４）。
【請求項１５】
前記疑似ランダム周波数距離は、
2019508949.tif 000141
の関数であり、式中、
2019508949.tif 000142
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項１２または１３に記載のユーザ機器（１４）。
【請求項１６】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000143
および
2019508949.tif 000144
であり、
2019508949.tif 000145
は物理レイヤセル識別子である、請求項１４または１５に記載のユーザ機器（１４）。
【請求項１７】
前記疑似ランダム周波数距離はセル識別子の関数である、請求項１２から１６のいずれか一項に記載のユーザ機器（１４）。
【請求項１８】
前記一定周波数距離はシングルトーンの周波数距離を含む、請求項１２から１７のいずれか一項に記載のユーザ機器（１４）。
【請求項１９】
前記ランダムアクセスプリアンブル信号（１６）におけるそれぞれのシンボルグループ（１８）はサイクリックプレフィクスおよび２つ以上のシンボルを含む、請求項１２から１８のいずれか一項に記載のユーザ機器（１４）。
【請求項２０】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項１２から１９のいずれか一項に記載のユーザ機器（１４）。
【請求項２１】
ランダムアクセスプリアンブル信号（１６）を受信するためにワイヤレス通信システム（１０）において使用するための無線ネットワークノード（１２）であって、
処理回路構成（１０２０）および無線回路構成（１０１０）を含み、これらによって、
ユーザ機器（１４）から信号を受信することと、
受信された前記信号について、それぞれのシンボルグループ（１８）が異なる時間リソースの間シングルトーン上にある複数のシンボルグループ（１８）を含むランダムアクセスプリアンブル信号（１６）を、周波数ホッピングパターンに従って検出するための試行を処理することであって、前記周波数ホッピングパターンは、１つまたは複数のシンボルグループ（１８）で前記ランダムアクセスプリアンブル信号（１６）を一定周波数距離でホッピングし、かつ、１つまたは複数の他のシンボルグループ（１８）で前記ランダムアクセスプリアンブル信号（１６）を疑似ランダム周波数距離でホッピングし、それぞれのシンボルグループ（１８）は１つまたは複数のシンボルを含む、処理することと、を行うように構成される、無線ネットワークノード。
【請求項２２】
前記無線ネットワークノード（１２）は、１つまたは複数の他の信号を１つまたは複数の他のユーザ機器から受信し、
前記１つまたは複数の他の信号について、前記ランダムアクセスプリアンブル信号（１６）と、周波数で多重化された１つまたは複数の他のランダムアクセスプリアンブル信号を、異なる周波数ホッピングパターンに従って検出するための試行を処理するように構成される、請求項２１に記載の無線ネットワークノード。
【請求項２３】
前記疑似ランダム周波数距離は、
2019508949.tif 000146
の関数であり、式中、
2019508949.tif 000147
であり、ｔはシンボルグループインデックスであり、前記ランダムアクセスプリアンブル信号（１６）はＴのシンボルグループ（１８）ごとに疑似ランダム周波数距離でホッピングし、
2019508949.tif 000148
はトーンの数であり、この範囲内で、前記ランダムアクセスプリアンブル信号（１６）に対するホッピングは規定され、ｃ（ｋ）は疑似ランダムシーケンスである、請求項２１または２２に記載の無線ネットワークノード。
【請求項２４】
前記疑似ランダム周波数距離は、
2019508949.tif 000149
の関数であり、式中、
2019508949.tif 000150
はトーンの数であり、この範囲内で、前記ランダムアクセスプリアンブル信号（１６）に対するホッピングは規定され、ｃ（ｋ）は疑似ランダムシーケンスであり、ｉ＝０、１、２、…は前記周波数ホッピングパターンにおける連続した疑似ランダム周波数ホッピングのインデックスである、請求項２１または２２に記載の無線ネットワークノード。
【請求項２５】
疑似ランダムシーケンスｃ（ｋ）は長さＭＰＮのシーケンスを含み、ここで、ｋ＝０、１、…、ＭＰＮ−１であり、
ｃ（ｋ）＝（ｘ１（ｋ＋ＮＣ）＋ｘ２（ｋ＋ＮＣ））ｍｏｄ２
ｘ１（ｋ＋３１）＝（ｘ１（ｋ＋３）＋ｘ１（ｋ））ｍｏｄ２
ｘ２（ｋ＋３１）＝（ｘ２（ｋ＋３）＋ｘ２（ｋ＋２）＋ｘ２（ｋ＋１）＋ｘ２（ｋ））ｍｏｄ２
によって規定され、
式中、ＮＣ＝１６００、ｘ１（０）＝１、ｘ１（ｋ）＝０、ｋ＝１、２、…、３０、
2019508949.tif 000151
および
2019508949.tif 000152
であり、
2019508949.tif 000153
は物理レイヤセル識別子である、請求項２３または２４に記載の無線ネットワークノード。
【請求項２６】
前記疑似ランダム周波数距離はセル識別子の関数である、請求項２１から２５のいずれか一項に記載の無線ネットワークノード。
【請求項２７】
前記一定周波数距離はシングルトーンの周波数距離を含む、請求項２１から２６のいずれか一項に記載の無線ネットワークノード。
【請求項２８】
前記ランダムアクセスプリアンブル信号（１６）におけるそれぞれのシンボルグループ（１８）はサイクリックプレフィクスおよび２つ以上のシンボルを含む、請求項２１から２６のいずれか一項に記載の無線ネットワークノード。
【請求項２９】
前記周波数ホッピングパターンは、１つまたは複数のシンボルグループ（１８）の第１のセットのそれぞれのシンボルグループ（１８）において前記ランダムアクセスプリアンブル信号（１６）を一定周波数距離でホッピングし、かつ前記第１のセットとは異なる１つまたは複数のシンボルグループ（１８）の第２のセットのそれぞれのシンボルグループ（１８）において前記ランダムアクセスプリアンブル信号（１６）を疑似ランダム周波数距離でホッピングする、請求項２１から２８のいずれか一項に記載の無線ネットワークノード。
【国際調査報告】
2019508949.tif 000154
2019508949.tif 000155